(57)【要約】【課題】本発明は、互いに連携動作可能な状態で接続された機器間における連携機能をユーザにとって不都合が無いように動作させるべく制御できるようにする【解決手段】入力端子を介して入力された伝送データを中継し、出力端子を介してシンク機器へ出力し、ソース機器とシンク機器とが互いに制御可能な状態で接続されているときであっても、ユーザによる所定の操作に応じて外面的な動的変化をもたらす動的な機能については無効となり、外面的な動的変化をもたらすことのない静的な機能についてのみ有効となるような限定状態の動作モードに設定し、伝送データをシンク機器へ中継出力するための接続ライン上に設けられたスイッチ手段のオンオフ状態を制御してシンク機器との接続ラインを切断すると共に、静的な機能についてのみ有効として動作させるように制御する。【選択図】図１
2012029070.tif 000002
【特許請求の範囲】
【請求項１】
ソース機器と、シンク機器とが接続されたリピータ機器であって、
上記ソース機器からそれぞれ供給される伝送データを入力するための入力端子と、
上記入力端子を介して入力された上記伝送データを中継するための中継手段と、
上記中継手段によって中継される上記伝送データを上記シンク機器へ出力するための出力端子と、
上記ソース機器と上記シンク機器とが互いに制御可能な状態で接続されているときであっても、ユーザによる所定の操作に応じて外面的な動的変化をもたらし、それを上記ユーザに対して目視確認させるような動的な機能については無効となり、外面的な動的変化をもたらすことのないような静的な機能についてのみ有効となるような限定状態の動作モードに設定する制御手段と、
上記中継手段により上記伝送データを上記シンク機器へ中継出力するための接続ライン上に設けられ、オンオフ状態を制御することにより上記シンク機器に対する上記接続ラインの接続状態又は切断状態を切り換えるスイッチ手段と
を具え、
上記制御手段は、上記限定状態の動作モードに設定することが選択されている場合、上記スイッチ手段を介して上記シンク機器との接続ラインを切断すると共に、上記静的な機能についてのみ有効として動作させる
リピータ機器。
【請求項２】
上記制御手段は、上記ソース機器と上記シンク機器とが互いに制御可能な状態で接続されているとき、上記操作に応じて上記動的な機能及び上記静的な機能の全てについて有効となるような連携状態の動作モードに設定することが可能であり、上記限定状態と上記連携状態とを選択的に切り換える
請求項１に記載のリピータ機器。
【請求項３】
上記制御手段及び上記スイッチ手段は、スタンバイ状態では電源が供給されており、上記限定状態が選択されている場合、上記スイッチ手段を介して上記接続ラインを切断する一方、上記連携状態の動作モードが選択されている場合、上記スイッチ手段を介して上記接続ラインを接続する
請求項２に記載のリピータ機器。
【請求項４】
上記制御手段は、上記連携状態の動作モードが選択されている場合、上記スイッチ手段を介して上記接続ラインを接続すると共に、上記動的な機能及び上記静的な機能の全てを有効として動作させる
請求項３に記載のリピータ機器。
【請求項５】
上記制御手段は、出荷時には上記限定状態の動作モードであることが所定の記憶手段に記憶され、それを読み出すことにより上記限定状態の動作モードであることを認識する
請求項４に記載のリピータ機器。
【請求項６】
ソース機器と、シンク機器とが接続されたリピータ機器における制御方法であって、
上記ソース機器からそれぞれ供給される伝送データを入力するための入力端子を介して入力された上記伝送データを中継し、その中継される上記伝送データを、出力端子を介して上記シンク機器へ出力する中継ステップと、
上記ソース機器と上記シンク機器とが互いに制御可能な状態で接続されているときであっても、ユーザによる所定の操作に応じて外面的な動的変化をもたらし、それを上記ユーザに対して目視確認させるような動的な機能については無効となり、外面的な動的変化をもたらすことのないような静的な機能についてのみ有効となるような限定状態の動作モードに設定するモード設定ステップと、
上記限定状態の動作モードに設定することが選択されている場合、上記伝送データを上記シンク機器へ中継出力するための接続ライン上に設けられたスイッチ手段のオンオフ状態を制御して上記シンク機器との接続ラインを切断すると共に、上記静的な機能についてのみ有効として動作させるように制御する制御ステップと
を有する制御方法。
【発明の詳細な説明】
【技術分野】
【０００１】
本発明は、リピータ機器及び制御方法に関し、特にＨＤＭＩ(High Definition Multimedia Interface)−ＣＥＣ(Consumer Electronics Control)対応機器における各種機能を制御する場合に適用して好適なものである。
【背景技術】
【０００２】
従来、映像／音声等の伝送用デジタルインタフェースとしてＨＤＭＩが普及している。このＨＤＭＩはＰＣ(Personal Computer)とディスプレイとの接続標準規格であるＤＶＩ(Digital Visual Interface)に音声伝送機能や著作権保護機能に加えて、ＡＶ(Audio Visual)機器向けにアレンジしたものとなっている。
【０００３】
ＨＤＭＩ規格では、ＣＥＣを使った機器間制御が定義されている。このＣＥＣによれば、ＨＤＭＩネットワーク上に存在する各機器に割り当てられている固有の物理アドレスと論理アドレスに基づいて様々な制御を可能としている。
【０００４】
例えば、ユーザがテレビ受信機でデジタル放送を視聴中、ＨＤＭＩ接続されたＤＶＤプレーヤが再生を開始すると、テレビ受信機は自動的にＤＶＤプレーヤが接続された入力状態へ切り換え、ＣＥＣ連携動作が働くようになされている（例えば、特許文献１参照）。
【０００５】
これによりユーザは、テレビ受信機の入力切換操作を行うことなく、ＤＶＤプレーヤの再生ボタンを押下操作するだけで、ＤＶＤプレーヤによる映像と音声を視聴可能な状態に切り換えることができるというメリットがＣＥＣの基本機能として存在する。なおユーザは、このＤＶＤプレーヤで表示しているメニューや、電源のオン／オフなどをテレビ受信機のリモコンから操作することもできる。
【０００６】
またＨＤＭＩ規格では、テレビ受信機で画像を表示している出力機器を明示するためのＣＥＣメッセージ（＜Active Source＞）を規定している。実際上、ユーザがＨＤＭＩ規格対応のＤＶＤプレーヤの再生ボタンを操作すると、当該ＤＶＤプレーヤは自身が映像信号を出力可能な状態（すなわちアクティブ状態）であれば、ＡＶストリームを出力すると共に、アクティブ機器であることを示すＣＥＣメッセージ（＜Active Source＞）をブロードキャストする。
【０００７】
ここでブロードキャストとは、特定の機器に対してではなく、全機器を送信先対象とした信号の一斉送信のことをいう。ＤＶＤプレーヤからＣＥＣメッセージ（＜Active Source＞）をブロードキャストされたテレビ受信機及びその他の外部機器は、当該ＤＶＤプレーヤから出力されるＡＶストリームを再生するために経路の切り換えを行う。
【０００８】
このようにＨＤＭＩ規格では、テレビ受信機で映像を表示中の機器（この場合ＤＶＤプレーヤ）がＣＥＣメッセージ（＜Active Source＞）をネットワーク内の他の機器へブロードキャストすることが規定されている。因みに、このＣＥＣメッセージ（＜Active Source＞）は、ＨＤＭＩ規格で定義されたＣＥＣメッセージの一つである。
【先行技術文献】
【特許文献】
【０００９】
【特許文献１】特開2010-130068公報
【発明の概要】
【発明が解決しようとする課題】
【００１０】
ところでＨＤＭＩ接続された機器間のＣＥＣ連携機能は、場合によってはユーザにとって不都合なケースを招くことになる。
【００１１】
例えば、ＡＶ(Audio Visual)アンプに対してＣＤ(Compact Disc)プレーヤとテレビ受信機とがＨＤＭＩ接続されたＡＶシステムにおいて、リビングルームに設置されたＡＶアンプから音声出力ラインだけを他の部屋に引き出し、当該他の部屋に設置したスピーカを介してリビングルームに設置されたＣＤプレーヤの再生音を楽しむ場合を想定する。
【００１２】
他の部屋のユーザは、ＣＤプレーヤのリモコンを介してリビングルームに設置されている当該ＣＤプレーヤに対し無線により再生命令を送信すると、ＡＶシステムではＣＥＣ連携機能が働き、テレビ受信機の入力までも自動的に切り換えてしまう。
【００１３】
このときリビングルームでテレビ受信機の映像を視聴しているユーザにとっては、当該テレビ受信機の入力が自動的に切り換えられてしまうことになり、そのリアクション動作が無意味であり、かつ迷惑になるという問題があった。
【００１４】
本発明は以上の点を考慮してなされたもので、互いに連携動作可能な状態で接続された機器間における連携機能をユーザにとって不都合が無いように動作させるべく制御するリピータ機器及び制御方法を提案しようとするものである。
【課題を解決するための手段】
【００１５】
かかる課題を解決するため本発明においては、ソース機器と、シンク機器とが接続されたリピータ機器であって、ソース機器からそれぞれ供給される伝送データを入力するための入力端子と、入力端子を介して入力された伝送データを中継するための中継手段と、中継手段によって中継される伝送データをシンク機器へ出力するための出力端子と、ソース機器とシンク機器とが互いに制御可能な状態で接続されているときであっても、ユーザによる所定の操作に応じて外面的な動的変化をもたらし、それをユーザに対して目視確認させるような動的な機能については無効となり、外面的な動的変化をもたらすことのないような静的な機能についてのみ有効となるような限定状態の動作モードに設定する制御手段と、中継手段により伝送データをシンク機器へ中継出力するための接続ライン上に設けられ、オンオフ状態を制御することによりシンク機器に対する接続ラインの接続状態又は切断状態を切り換えるスイッチ手段とを具え、制御手段は、限定状態の動作モードに設定することが選択されている場合、スイッチ手段を介してシンク機器との接続ラインを切断すると共に、静的な機能についてのみ有効として動作させるようにする。
【００１６】
これにより、限定状態の動作モードが選択された場合、スイッチ手段を介してシンク機器との接続ラインを切断すると共に、静的な機能についてのみ動作させるように制限することができるので、ユーザによる操作により外面的な動的変化をもたらし、それをユーザに対して目視確認させるような動的な機能については動作させずに済む。
【発明の効果】
【００１７】
本発明によれば、限定状態の動作モードが選択された場合、スイッチ手段を介してシンク機器との接続ラインを切断すると共に、静的な機能についてのみ動作させるように制限することができるので、ユーザによる操作により外面的な動的変化をもたらし、それをユーザに対して目視確認させるような動的な機能については動作させずに済み、かくして互いに連携動作可能な状態で接続された機器間における連携機能をユーザにとって不都合が無いように動作させるべく制御し得るリピータ装置及び制御方法を実現することができる。
【図面の簡単な説明】
【００１８】
【図１】ＡＶシステムの全体構成を示す略線的ブロック図である。
【図２】デバイスとＣＥＣ論理アドレスとの対応関係を示すＣＥＣテーブルである。
【図３】テレビ受信機の回路構成を示す略線的ブロック図である。
【図４】ＢＤレコーダの回路構成を示す略線的ブロック図である。
【図５】ＡＶアンプの回路構成を示す略線的ブロック図である。
【図６】ＨＤＭＩ送信部（ＨＤＭＩソース）とＨＤＭＩ受信部（ＨＤＭＩシンク）の構成例を示す略線図である。
【図７】ＨＤＭＩトランスミッタとＨＤＭＩレシーバの構成例を示す略線図である。
【図８】ＴＭＤＳ伝送データの構造を示す略線図である。
【図９】ＨＤＭＩ端子のピン配列を示す略線図である。
【図１０】ソース機器と、リピータ機器と、シンク機器とがＨＤＭＩケーブルで接続された場合におけるＨＤＭＩ接続に係る要部構成例を示す略線的ブロック図である。
【図１１】ＣＥＣラインで伝送されるデータのデータ構造を示す略線図である。
【図１２】ヘッダブロックのデータ構造例を示す略線図である。
【図１３】リピータ機器（ＡＶアンプ）のパワーオン状態を示す略線的ブロック図である。
【図１４】リピータ機器（ＡＶアンプ）のスタンバイ状態を示す略線的ブロック図である。
【図１５】ＣＥＣ限定状態を前提としてＡＣオフ状態→パワーオン状態へ変化した時の制御シーケンスを示す略線的フローチャートである。
【図１６】パワーオン状態においてＣＥＣ限定状態→ＣＥＣ連携状態へ切り換える時の制御シーケンスを示す略線的フローチャートである。
【図１７】ＣＥＣ限定状態を前提としてスタンバイ状態→パワーオン状態へ変化した時の制御シーケンスを示す略線的フローチャートである。
【図１８】ＣＥＣ連携状態を前提としてスタンバイ状態→パワーオン状態へ変化した時の制御シーケンスを示す略線的フローチャートである。
【図１９】パワーオン状態においてＣＥＣ連携状態→ＣＥＣ限定状態へ切り換える時の制御シーケンスを示す略線的フローチャートである。
【図２０】ＣＥＣ連携状態を前提としてＡＣオフ状態→パワーオン状態へ変化した時の制御シーケンスを示す略線的フローチャートである。
【図２１】ＣＥＣ限定状態を前提としてパワーオン状態→スタンバイ状態へ変化した時の制御シーケンスを示す略線的フローチャートである。
【図２２】ＣＥＣ連携状態を前提としてパワーオン状態→スタンバイ状態へ変化した時の制御シーケンスを示す略線的フローチャートである。
【図２３】ＣＥＣ限定状態を前提としてパワーオン状態→ＡＣオフ状態へ変化した時の制御シーケンスを示す略線的フローチャートである。
【図２４】ＣＥＣ連携状態を前提としてパワーオン状態→ＡＣオフ状態へ変化した時の制御シーケンスを示す略線的フローチャートである。
【発明を実施するための形態】
【００１９】
以下、発明を実施するための形態について説明する。なお、説明は以下の順序で行う。
１．実施の形態
２．他の実施の形態
【００２０】
＜１．実施の形態＞
［１−１．システム全体構成］
図１において、１００は全体として本発明の一実施の形態におけるＡＶシステムを示し、テレビ受信機２００と、ＡＶアンプ３００と、ＢＤ(Blue-Ray Disc)レコーダ４００と、ＤＶＤプレーヤ５００と、ＤＶＤレコーダ６００とが、ＡＶアンプ３００を中心として相互にＨＤＭＩ接続された構成を有する。
【００２１】
ここで、ＡＶアンプ３００は、ＨＤＭＩのリピータ機器を構成している。テレビ受信機２００は、ＨＤＭＩのシンク機器を構成している。ＢＤレコーダ４００、ＤＶＤプレーヤ５００及びＤＶＤレコーダ６００は、ＨＤＭＩのソース機器を構成している。
【００２２】
因みに、ＢＤレコーダ４００、ＤＶＤプレーヤ５００及びＤＶＤレコーダ６００は、それぞれブルーレイディスク、ＤＶＤ等のビデオディスクやハードディスクを記録媒体として用いることにより、ビデオデータ（ＡＶコンテンツ）の記録や再生を行う機器である。
【００２３】
テレビ受信機２００は、ＣＥＣ対応機器であり、ＨＤＭＩ端子２０１、２０２と、光出力端子２０３とを備えている。ＢＤレコーダ４００は、ＣＥＣ対応機器であり、ＨＤＭＩ端子４０１を備えている。ＤＶＤプレーヤ５００は、ＣＥＣ対応機器であり、ＨＤＭＩ端子５０１を備えている。ＤＶＤレコーダ６００は、ＣＥＣ対応機器であり、ＨＤＭＩ端子６０１を備えている。
【００２４】
ＡＶアンプ３００は、ＣＥＣ対応機器であり、ＨＤＭＩ端子３０１、３０２、３０３、３０４と光入力端子３０５とを備えている。このＡＶアンプ３００には、スピーカ群３５０が接続されている。このスピーカ群３５０は、例えば５．１ｃｈサラウンドを実現するため、聴取者の正面、右前方、左前方、右後方、左後方に位置するスピーカ、および低音出力用サブウーファスピーカにより構成されている。
【００２５】
テレビ受信機２００及びＡＶアンプ３００は、ＨＤＭＩケーブル７０１及び光ケーブル７０２を介して相互に接続されている。すなわちＨＤＭＩケーブル７０１の一端はテレビ受信機２００のＨＤＭＩ端子２０１に接続され、その他端はＡＶアンプ３００のＨＤＭＩ端子３０４に接続されている。また、光ケーブル７０２の一端はテレビ受信機２００の光出力端子２０３に接続され、その他端はＡＶアンプ３００の光入力端子３０５に接続されている。
【００２６】
また、ＡＶアンプ３００及びＢＤレコーダ４００は、ＨＤＭＩケーブル７０３を介して相互にＨＤＭＩ接続されている。すなわち、ＨＤＭＩケーブル７０３の一端は、ＡＶアンプ３００のＨＤＭＩ端子３０１に接続され、その他端はＢＤレコーダ４００のＨＤＭＩ端子４０１に接続されている。
【００２７】
さらにＡＶアンプ３００及びＤＶＤプレーヤ５００は、ＨＤＭＩケーブル７０４を介して相互にＨＤＭＩ接続されている。すなわち、ＨＤＭＩケーブル７０４の一端は、ＡＶアンプ３００のＨＤＭＩ端子３０２に接続され、その他端はＤＶＤプレーヤ５００のＨＤＭＩ端子５０１に接続されている。
【００２８】
さらにＡＶアンプ３００及びＤＶＤレコーダ６００は、ＨＤＭＩケーブル７０５を介して相互にＨＤＭＩ接続されている。すなわち、ＨＤＭＩケーブル７０５の一端は、ＡＶアンプ３００のＨＤＭＩ端子３０３に接続され、その他端はＤＶＤレコーダ６００のＨＤＭＩ端子６０１に接続されている。
【００２９】
このＡＶシステム１００においては、各機器の物理アドレス(Physical Address)及びＣＥＣ論理アドレス(Logical Address)の取得を、例えば以下のように行う。
【００３０】
すなわちテレビ受信機２００（物理アドレス［００００］、ＣＥＣ論理アドレス｛０｝）に対してＡＶアンプ３００がＨＤＭＩケーブル７０１を介して接続されるとき、ＡＶアンプ３００はＨＤＭＩ制御プロトコルを使用して、テレビ受信機２００から物理アドレス［００００］を取得する。ここでＣＥＣ対応機器は、ＨＤＭＩ接続時に論理アドレスを取得するように規定されており、この論理アドレスを用いてＣＥＣメッセージの送受信を行う。
【００３１】
図２に、デバイスとＣＥＣ論理アドレスとの対応関係を表すテーブルＴＬを示す。このテーブルＴＬにおいて、デバイスの「ＴＶ」はテレビ受信機、プロジェクタ等である。またデバイスの「Recording Device」はＢＤレコーダ、ＤＶＤレコーダ等である。さらにデバイスの「Tuner」は、ＳＴＢ(Set Top Box)等である。さらにデバイスの「Playback Device」はＤＶＤプレーヤ、カムコーダ等である。なおデバイスの「Audio System」はＡＶアンプ等である。
【００３２】
例えばＡＶアンプ３００は、図２のテーブルＴＬに基づいて、「Audio System」として論理アドレス｛５｝を決定する。この場合ＡＶアンプ３００は、ＣＥＣ制御プロトコルのＣＥＣメッセージ（＜Polling Message＞）で他の機器に対し、この論理アドレス｛５｝を持つ機器が存在しないことを認識した後に、当該論理アドレス｛５｝を自身の論理アドレスとして決定する。
【００３３】
そしてＡＶアンプ３００は、ＣＥＣ制御プロトコルのＣＥＣメッセージ（＜Report Physical Address＞）により、物理アドレス［１０００］は、論理アドレス｛５｝のＣＥＣ対応機器であることを、テレビ受信機２００に通知する。
【００３４】
また、ＡＶアンプ３００にＨＤＭＩケーブル７０３を介してＢＤレコーダ４００が接続されるとき、ＢＤレコーダ４００はＨＤＭＩ制御プロトコルを使用してＡＶアンプ３００から物理アドレス［１１００］を取得する。
【００３５】
ＢＤレコーダ４００は、図２のテーブルＴＬに基づいて、「Recording Device」として論理アドレス｛１｝を決定する。この場合ＢＤレコーダ４００は、ＣＥＣ制御プロトコルのＣＥＣメッセージ（＜Polling Message＞）で他の機器に対し、この論理アドレス｛１｝を持つ機器が存在しないことを認識した後に、当該論理アドレス｛１｝を自身の論理アドレスとして決定する。
【００３６】
そしてＢＤレコーダ４００は、ＣＥＣ制御プロトコルのＣＥＣメッセージ（＜Report Physical Address＞）により、物理アドレス［１１００］は、論理アドレス｛１｝のＣＥＣ対応機器であることを、テレビ受信機２００及びＡＶアンプ３００に通知する。
【００３７】
また、ＡＶアンプ３００にＨＤＭＩケーブル７０４を介してＤＶＤプレーヤ５００が接続されるとき、ＤＶＤプレーヤ５００はＨＤＭＩ制御プロトコルを使用してＡＶアンプ３００から物理アドレス［１２００］を取得する。
【００３８】
ＤＶＤプレーヤ５００は、図２のテーブルＴＬに基づいて、「Playback Device」として論理アドレス｛４｝を決定する。この場合ＤＶＤプレーヤ５００は、ＣＥＣ制御プロトコルのＣＥＣメッセージ（＜Polling Message＞）で他の機器に対し、この論理アドレス｛４｝を持つ機器が存在しないことを認識した後に、当該論理アドレス｛４｝を自身の論理アドレスとして決定する。
【００３９】
そしてＤＶＤプレーヤ５００は、ＣＥＣ制御プロトコルのＣＥＣメッセージ（＜Report Physical Address＞）により、物理アドレス［１２００］は、論理アドレス｛４｝のＣＥＣ対応機器であることを、テレビ受信機２００及びＡＶアンプ３００に通知する。
【００４０】
さらに、ＡＶアンプ３００にＨＤＭＩケーブル７０５を介してＤＶＤレコーダ６００が接続されるとき、ＤＶＤレコーダ６００はＨＤＭＩ制御プロトコルを使用してＡＶアンプ３００から物理アドレス［１３００］を取得する。
【００４１】
ＤＶＤレコーダ６００は、図２のテーブルＴＬに基づいて、「Recording Device」として論理アドレス｛２｝を決定する。この場合ＤＶＤレコーダ６００は、ＣＥＣ制御プロトコルのＣＥＣメッセージ（＜Polling Message＞）で他の機器に対し、この論理アドレス｛２｝を持つ機器が存在しないことを認識した後に、当該論理アドレス｛２｝を自身の論理アドレスとして決定する。
【００４２】
そしてＤＶＤレコーダ６００は、ＣＥＣ制御プロトコルのＣＥＣメッセージ（＜Report Physical Address＞）により、物理アドレス［１３００］は、論理アドレス｛２｝のＣＥＣ対応機器であることを、テレビ受信機２００及びＡＶアンプ３００に通知する。
【００４３】
このＡＶシステム１００（図１）において、テレビ受信機２００のチューナで選局された番組を視聴する場合、以下のような動作が実行される。すなわち、チューナで得られる映像信号による画像は、テレビ受信機２００の表示パネル（図示せず）表示される。
【００４４】
またチューナで得られる音声信号による音声は、ＡＶアンプ３００がシステムオーディオモードＯＦＦであるとき、テレビ受信機２００のスピーカ（図示せず）から出力される。なお、チューナで得られる音声信号による音声は、ＡＶアンプ３００がシステムオーディオモードＯＮであるとき、ＡＶアンプ３００に接続されているスピーカ群３５０から出力される。
【００４５】
なお、テレビ受信機２００のチューナで得られる音声信号は、例えばＳ／ＰＤＩＦ(Sony/Philips Digital Interface)規格の光デジタル音声信号とされて、光ケーブル７０２を介してＡＶアンプ３００に供給される。また、ＡＶアンプ３００におけるシステムオーディオモードのＯＮ／ＯＦＦ設定は、ユーザがＡＶアンプ３００のユーザ操作部（図示せず）を介して行うことができる他、ユーザがテレビ受信機２００のユーザ操作部（図示せず）を介して行うことができる。
【００４６】
また、ＡＶシステム１００（図１）において、例えば、テレビ受信機２００からの切り換え操作、ＢＤレコーダ４００の再生ボタン操作等により、ＢＤレコーダ４００によってディスクから再生されたコンテンツ、あるいはチューナで選局された番組を視聴する場合には、以下のようになる。
【００４７】
すなわちＢＤレコーダ４００の出力映像信号による画像は、テレビ受信機２００の表示パネル（図示せず）に表示される。この場合、ＢＤレコーダ４００の出力映像信号は、ＨＤＭＩケーブル７０３、ＡＶアンプ３００及びＨＤＭＩケーブル７０１を介してテレビ受信機２００に供給される。
【００４８】
ＢＤレコーダ４００の出力音声信号による音声は、ＡＶアンプ３００がシステムオーディオモードＯＦＦであるとき、テレビ受信機２００のスピーカ（図示せず）から出力される。この場合、ＢＤレコーダ４００の出力音声信号は、ＨＤＭＩケーブル７０３、ＡＶアンプ３００及びＨＤＭＩケーブル７０１を介してテレビ受信機２００へ供給される。
【００４９】
また、ＢＤレコーダ４００の出力音声信号による音声は、ＡＶアンプ３００がシステムオーディオモードＯＮであるとき、ＡＶアンプ３００に接続されているスピーカ群３５０から出力される。この場合、ＢＤレコーダ４００の出力音声信号は、ＨＤＭＩケーブル７０３を介してＡＶアンプ３００へ供給される。
【００５０】
また、ＡＶシステム１００（図１）において、例えばテレビ受信機２００からの切り換え操作、ＤＶＤプレーヤ５００の再生ボタン操作等により、ＤＶＤプレーヤ５００でディスクから再生されたコンテンツを視聴する場合には、以下のようになる。
【００５１】
すなわちＤＶＤプレーヤ５００の出力映像信号による画像は、テレビ受信機２００の表示パネル（図示せず）に表示される。この場合、ＤＶＤプレーヤ５００の出力映像信号は、ＨＤＭＩケーブル７０４、ＡＶアンプ３００及びＨＤＭＩケーブル７０１を介してテレビ受信機２００へ供給される。
【００５２】
ＤＶＤプレーヤ５００の出力音声信号による音声は、ＡＶアンプ３００がシステムオーディオモードＯＦＦであるとき、テレビ受信機２００のスピーカ（図示せず）から出力される。この場合、ＤＶＤプレーヤ５００の出力音声信号は、ＨＤＭＩケーブル７０４、ＡＶアンプ３００およびＨＤＭＩケーブル７０１を介してテレビ受信機２００へ供給される。
【００５３】
また、ＤＶＤプレーヤ５００の出力音声信号による音声は、ＡＶアンプ３００がシステムオーディオモードＯＮであるとき、ＡＶアンプ３００に接続されているスピーカ群３５０から出力される。この場合、ＤＶＤプレーヤ５００の出力音声信号は、ＨＤＭＩケーブル７０４を介してＡＶアンプ３００へ供給される。
【００５４】
また、ＡＶシステム１００（図１）において、例えばテレビ受信機２００からの切り換え操作等により、ＤＶＤレコーダ６００でディスクから再生されたコンテンツ、或はチューナで選局された番組を視聴する場合には、以下のようになる。
【００５５】
すなわち、ＤＶＤレコーダ６００の出力映像信号による画像は、テレビ受信機２００の表示パネル（図示せず）に表示される。この場合、ＤＶＤレコーダ６００の出力映像信号は、ＨＤＭＩケーブル７０５、ＡＶアンプ３００及びＨＤＭＩケーブル７０１を介してテレビ受信機２００へ供給される。
【００５６】
ＤＶＤレコーダ６００の出力音声信号による音声は、ＡＶアンプ３００がシステムオーディオモードＯＦＦであるとき、テレビ受信機２００のスピーカ（図示せず）から出力される。この場合、ＤＶＤレコーダ６００の出力音声信号は、ＨＤＭＩケーブル７０５、ＡＶアンプ３００及びＨＤＭＩケーブル７０１を介してテレビ受信機２００へ供給される。
【００５７】
また、ＤＶＤレコーダ６００の出力音声信号による音声は、ＡＶアンプ３００がシステムオーディオモードＯＮであるとき、ＡＶアンプ３００に接続されているスピーカ群３５０から出力される。この場合、ＤＶＤレコーダ６００の出力音声信号は、ＨＤＭＩケーブル７０５を介してＡＶアンプ３００へ供給される。
【００５８】
［１−２．テレビ受信機の構成］
図３に示すようにテレビ受信機２００は、ＨＤＭＩ端子２０１、２０２と、光出力端子２０３と、ＨＤＭＩスイッチャ２０４と、ＨＤＭＩ受信部２０５と、アンテナ端子２１０と、デジタルチューナ２１１と、デマルチプレクサ２１２と、ＭＰＥＧ(Moving Picture Experts Group)デコーダ２１３と、映像・グラフィックス処理回路２１４と、パネル駆動回路２１５と、表示パネル２１６と、音声処理回路２１７と、音声増幅回路２１８と、スピーカ２１９と、内部バス２３０と、ＣＰＵ(Central Processing Unit)２３１と、フラッシュＲＯＭ(Read Only Memory)２３２と、ＤＲＡＭ(Dynamic Random Access Memory)２３３と、リモコン受信部２３４と、リモコン送信機２３５とを有している。
【００５９】
テレビ受信機２００のＣＰＵ２３１は、フラッシュＲＯＭ２３２に格納された制御ソフトウェアをＤＲＡＭ２３３に読み出して起動することにより、各部の動作を制御したり、フラッシュＲＯＭ２３２に対してデータの保管を行うようになされている。なお、ＣＰＵ２３１、フラッシュＲＯＭ２３２及びＤＲＡＭ２３３は、内部バス２３０に接続されている。
【００６０】
リモコン受信部２３４は、リモコン送信機２３５から送信された例えば赤外線のリモートコントロール信号（リモコンコード）を受信し、これをＣＰＵ２３１へ供給する。ユーザは、リモコン送信機２３５を操作することにより、テレビ受信機２００に対する操作、及びこのテレビ受信機２００にＨＤＭＩケーブルで接続されているその他のＣＥＣ対応機器に対する操作を行うことができる。
【００６１】
アンテナ端子２１０は、受信アンテナ（図示せず）で受信されたテレビ放送信号を入力する端子である。デジタルチューナ２１１は、アンテナ端子２１０に入力されたテレビ放送信号を処理して、ユーザの選択チャネルに対応した所定のトランスポートストリームを出力する。
【００６２】
デマルチプレクサ２１２は、デジタルチューナ２１１で得られたトランスポートストリームから、ユーザの選択チャネルに対応したパーシャルＴＳ(Transport Steam)（映像データのＴＳパケット、音声データのＴＳパケット）を抽出する。
【００６３】
またデマルチプレクサ２１２は、デジタルチューナ２１１で得られたトランスポートストリームから、ＰＳＩ／ＳＩ(Program Specific Information/Service Information)を取り出し、これをＣＰＵ２３１へ出力する。デジタルチューナ２１１で得られたトランスポートストリームには、複数のチャンネルが多重化されている。デマルチプレクサ２１２により当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００６４】
ＭＰＥＧデコーダ２１３は、デマルチプレクサ２１２を介して得られる映像データのＴＳパケットにより構成される映像ＰＥＳ(Packetized Elementary Stream)パケットに対しデコード処理を行うことによって映像データを得る。またＭＰＥＧデコーダ２１３は、デマルチプレクサ２１２を介して得られる音声データのＴＳパケットにより構成される音声ＰＥＳパケットに対しデコード処理を行うことによって音声データを得る。
【００６５】
映像・グラフィックス処理回路２１４は、ＭＰＥＧデコーダ２１３で得られた映像データに対して、必要に応じて、スケーリング処理、グラフィックスデータの重畳処理等を行う。パネル駆動回路２１５は、映像・グラフィックス処理回路２１４から出力される映像データに基づいて、表示パネル２１６を駆動する。表示パネル２１６は、例えば、ＬＣＤ(Liquid Crystal Display)、ＰＤＰ(Plasma Display Panel)等で構成されている。
【００６６】
音声処理回路２１７は、ＭＰＥＧデコーダ２１３を介して得られた音声データに対しＤ／Ａ(Digital/Analog)変換等の必要な処理を行う。音声増幅回路２１８は、音声処理回路２１７から出力されるアナログ音声信号を増幅してスピーカ２１９へ供給する。また音声処理回路２１７は、ＭＰＥＧデコーダ２１３を介して得られた音声データを、例えばＳ／ＰＤＩＦ規格のデジタル光信号に変換し、これを光出力端子２０３へ出力する。
【００６７】
ＨＤＭＩスイッチャ２０４は、ＨＤＭＩ端子２０１、２０２をＨＤＭＩ受信部２０５へ選択的に接続する。ＨＤＭＩ受信部２０５は、ＨＤＭＩスイッチャ２０４を介して、ＨＤＭＩ端子２０１、２０２の何れかと選択的に接続される。
【００６８】
このＨＤＭＩ受信部２０５は、ＨＤＭＩに準拠した通信により、ＨＤＭＩ端子２０１、２０２に接続されている外部機器（ソース機器またはリピータ機器）から一方的に送信されてくるベースバンドの映像データと音声データを受信する。このＨＤＭＩ受信部２０５の詳細は後述する。
【００６９】
続いて、このテレビ受信機２００の動作を簡単に説明する。アンテナ端子２１０に入力されるテレビ放送信号はデジタルチューナ２１１へ供給される。このデジタルチューナ２１１では、テレビ放送信号が処理されて、ユーザの選択チャネルに対応したトランスポートストリームが得られ、デマルチプレクサ２１２へ供給される。
【００７０】
デマルチプレクサ２１２では、トランスポートストリームから、ユーザの選択チャネルに対応したパーシャルＴＳ（映像データのＴＳパケット、音声データのＴＳパケット）が抽出され、これがＭＰＥＧデコーダ２１３へ供給される。
【００７１】
ＭＰＥＧデコーダ２１３では、映像データのＴＳパケットにより構成される映像ＰＥＳパケットに対してデコード処理が行われて映像データが得られる。この映像データは、映像・グラフィックス処理回路２１４において、必要に応じて、スケーリング処理、グラフィックスデータの重畳処理等が行われた後に、パネル駆動回路２１５へ供給される。そのため、表示パネル２１６には、ユーザの選択チャネルに対応した画像が表示される。
【００７２】
また、ＭＰＥＧデコーダ２１３では、音声データのＴＳパケットにより構成される音声ＰＥＳパケットに対してデコード処理が行われて音声データが得られる。この音声データは、音声処理回路２１７を介してＤ／Ａ変換等の必要な処理が行われ、さらに、音声増幅回路２１８で増幅された後に、スピーカ２１９へ供給される。そのためスピーカ２１９からユーザの選択チャネルに対応した音声が出力される。
【００７３】
また、ＭＰＥＧデコーダ２１３を介して得られる音声データは、音声処理回路２１７で例えばＳ／ＰＤＩＦ規格のデジタル光信号に変換されて光出力端子２０３へ出力される。そのためテレビ受信機２００では、音声データを光ケーブル７０２により外部機器へ送信することができる。このＡＶシステム（図１）においては、上述したように、テレビ受信機２００からの音声データが光ケーブル７０２を介してＡＶアンプ３００へ供給される。
【００７４】
そして、ＡＶアンプ３００がシステムオーディオモードＯＮの状態にあるとき、ＡＶアンプ３００に接続されているスピーカ群３５０から、テレビ受信機２００からの音声データによる音声が出力される。なお、この場合、ＣＰＵ２３１により音声増幅回路２１８はミューティング状態とされ、テレビ受信機２００のスピーカ２１９から音声は出力されない。
【００７５】
また、ＨＤＭＩ受信部２０５では、ＨＤＭＩケーブルを介してＨＤＭＩ端子２０１、２０２に入力される映像データ及び音声データが得られる。映像データは、映像・グラフィックス処理回路２１４へ供給され、音声データは音声処理回路２１７へ供給される。以降は、上述したテレビ放送信号の受信時と同様の動作となり、表示パネル２１６に画像が表示され、スピーカ２１９から音声が出力される。
【００７６】
このＡＶシステム１００において、例えば、ＢＤレコーダ４００、ＤＶＤプレーヤ５００又はＤＶＤレコーダ６００からの映像データ、音声データによる画像、音声の視聴を行う場合には、上述したように、ＨＤＭＩ受信部２０５で取得された映像データ、音声データによる画像、音声の視聴状態となる。
【００７７】
なお、この場合であっても、ＡＶアンプ３００がシステムオーディオモードＯＮの状態にあるとき、ＡＶアンプ３００に接続されているスピーカ群３５０から音声データによる音声が出力され、テレビ受信機２００の音声増幅回路２１８はミューティング状態とされ、スピーカ２１９から音声は出力されない。
【００７８】
［１−３．ＢＤレコーダの構成］
図４に示すようにＢＤレコーダ４００は、ＨＤＭＩ端子４０１と、ＨＤＭＩ送信部４０２と、アンテナ端子４１０と、デジタルチューナ４１１と、デマルチプレクサ４１２と、記録部インタフェース４１３と、ＢＤドライブ４１４と、ＭＰＥＧデコーダ４１５と、グラフィック生成回路４１６と、映像出力端子４１７と、音声出力端子４１８と、内部バス４２０と、ＣＰＵ４２１と、フラッシュＲＯＭ４２２と、ＤＲＡＭ４２３とを有している。
【００７９】
ＢＤレコーダ４００のＣＰＵ４２１は、フラッシュＲＯＭ４２２に格納された制御ソフトウェアをＤＲＡＭ４２３に読み出して起動することにより、各部の動作を制御したり、フラッシュＲＯＭ４２２に対してデータの保管を行うようになされている。なお、ＣＰＵ４２１、フラッシュＲＯＭ４２２及びＤＲＡＭ４２３は、内部バス４２０に接続されている。
【００８０】
ＣＰＵ４２１には、ユーザ操作部４２５及び表示部４２６が接続されている。これらユーザ操作部４２５及び表示部４２６は、ユーザインタフェースを構成している。ユーザは、ユーザ操作部４２５を介してＢＤレコーダ４００の動作を操作することができる。なお、ユーザ操作部４２５は、ＢＤレコーダ４００の筐体（図示しない）に配置されたキー、釦、ダイアル、リモコン送受信機等で構成される。表示部４２６は、ＬＣＤ等で構成され、ＢＤレコーダ４００の動作状態、ユーザの操作状態等を表示する。
【００８１】
アンテナ端子４１０は、受信アンテナ（図示せず）で受信されたテレビ放送信号を入力する端子である。デジタルチューナ４１１は、アンテナ端子４１０に入力されるテレビ放送信号を処理して、所定のトランスポートストリームを出力する。デマルチプレクサ４１２は、デジタルチューナ４１１を介して得られたトランスポートストリームから、所定の選択チャネルに対応したパーシャルＴＳ（映像データのＴＳパケット、音声データのＴＳパケット）を抽出する。
【００８２】
またデマルチプレクサ４１２は、デジタルチューナ４１１を介して得られたトランスポートストリームから、ＰＳＩ／ＳＩを取り出し、これをＣＰＵ４２１へ出力する。デジタルチューナ４１１で得られたトランスポートストリームには、複数のチャンネルが多重化されている。デマルチプレクサ４１２により当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００８３】
ＢＤドライブ４１４は、記録部インタフェース４１３を介して内部バス４２０に接続されている。ＢＤドライブ４１４は、記録時、デマルチプレクサ４１２で抽出されたパーシャルＴＳをディスクに記録する。またＢＤドライブ４１４は、再生時、ディスクに記録されているパーシャルＴＳを再生する。
【００８４】
ＭＰＥＧデコーダ４１５は、デマルチプレクサ４１２を介して抽出された、或は、ＢＤドライブ４１４で再生されたパーシャルＴＳを構成する映像ＰＥＳパケットに対してデコード処理を行うことにより映像データを得る。またＭＰＥＧデコーダ４１５は、当該パーシャルＴＳを構成する音声ＰＥＳパケットに対してデコード処理を行うことにより音声データを得る。
【００８５】
グラフィック生成回路４１６は、ＭＰＥＧデコーダ４１５で得られた映像データに対して、必要に応じてグラフィックスデータの重畳処理を行う。映像出力端子４１７は、グラフィック生成回路４１６から出力される映像データを出力する。音声出力端子４１８は、ＭＥＰＧデコーダ４１５を介して得られた音声データを出力する。
【００８６】
ＨＤＭＩ送信部（ＨＤＭＩソース）４０２は、ＨＤＭＩに準拠した通信により、ＭＰＥＧデコーダ４１５を介して得られたベースバンドの映像データと音声データをＨＤＭＩ端子４０１から送出する。このＨＤＭＩ送信部４０２の詳細は後述する。
【００８７】
続いて、このＢＤレコーダ４００の動作を簡単に説明する。アンテナ端子４１０に入力されるテレビ放送信号はデジタルチューナ４１１へ供給される。このデジタルチューナ４１１では、テレビ放送信号が処理されて、所定のトランスポートストリームが取り出され、このトランスポートストリームがデマルチプレクサ４１２へ供給される。
【００８８】
このデマルチプレクサ４１２では、トランスポートストリームから所定のチャネルに対応したパーシャルＴＳ（映像データのＴＳパケット、音声データのＴＳパケット）が抽出される。このパーシャルＴＳは、記録部インタフェース４１３を介してＢＤドライブ４１４へ供給され、ＣＰＵ４２１からの記録指示に基づいて記録される。
【００８９】
また、上述したようにデマルチプレクサ４１２を介して抽出されるパーシャルＴＳ、または、ＢＤドライブ４１４で再生されるパーシャルＴＳは、ＭＰＥＧデコーダ４１５へ供給される。
【００９０】
このＭＰＥＧデコーダ４１５では、ＴＳパケットにより構成される映像ＰＥＳパケットに対してデコード処理が行われることにより映像データが得られる。この映像データは、グラフィック生成回路４１６によりグラフィックスデータの重畳処理等が行われた後に、映像出力端子４１７に出力される。また、ＭＰＥＧデコーダ４１５では、ＴＳパケットにより構成される音声ＰＥＳパケットに対してデコード処理が行われることにより音声データが得られる。この音声データは音声出力端子４１８に出力される。
【００９１】
また、上述したようにＭＰＥＧデコーダ４１５を介して得られるベースバンドの映像データ及び音声データは、ＨＤＭＩ送信部４０２へ供給され、このＨＤＭＩ送信部４０２からＨＤＭＩ端子４０１を通じて外部機器へ送出される。
【００９２】
［１−４．ＤＶＤプレーヤ、ＤＶＤレコーダの構成］
なお、便宜上、詳細説明は省略するが、ＤＶＤプレーヤ５００の構成は、上述したＢＤレコーダ４００においてＢＤドライブ４１４がＤＶＤドライブとされ、また、記録系が除かれたものと同様とされている。
【００９３】
また、便宜上、詳細説明は省略するが、ＤＶＤレコーダ６００の構成は、上述したＢＤレコーダ４００においてＢＤドライブ４１４がＤＶＤドライブとされたものと同様とされている。
【００９４】
［１−５．ＡＶアンプの構成］
図５に示すようにＡＶアンプ３００は、ＨＤＭＩ端子３０１〜３０４と、光入力端子３０５と、ＨＤＭＩスイッチャ３０６と、ＨＤＭＩ受信部３０７と、ＨＤＭＩ送信部３０８と、変換部３１０と、アナログ音声入力端子３１１と、アンテナ端子３１２と、ＦＭチューナ３１３と、セレクタ３１４と、Ａ／Ｄ(Analog/Digital)変換器３１５と、セレクタ３１６と、ＤＳＰ(Digital Signal Processor)３１７と、Ｄ／Ａ(Digital/Analog)変換器３３１と、音声増幅回路３１８と、音声出力端子３１９ａ〜３１９ｆと、内部バス３２０と、ＣＰＵ３２１と、フラッシュＲＯＭ３２２と、ＤＲＡＭ３２３と、リレーでなるスイッチ回路３３０とを有している。
【００９５】
ＡＶアンプ３００のＣＰＵ３２１は、フラッシュＲＯＭ３２２に格納された制御ソフトウェアをＤＲＡＭ３２３に読み出して起動することにより、各部の動作を制御したり、フラッシュＲＯＭ３２２に対してデータの保管を行うようになされている。なお、ＣＰＵ３２１、フラッシュＲＯＭ３２２及びＤＲＡＭ３２３は、内部バス３２０に接続されている。
【００９６】
ＣＰＵ３２１には、ユーザ操作部３２４及び表示部３２５が接続されている。これらユーザ操作部３２４及び表示部３２５は、ユーザインタフェースを構成している。ユーザは、ユーザ操作部３２４を介してＡＶアンプ３００による出力音声の選択、ＦＭチューナ３１３の選局、動作設定等を行うことができる。ユーザは、このユーザ操作部３２４により、システムオーディオモードのＯＮ／ＯＦＦ等を設定したり、後述するようなＣＥＣ連携状態やＣＥＣ限定状態を設定することができる。
【００９７】
このユーザ操作部３２４は、ＡＶアンプ３００の図示しない筐体表面に配置されたキー、釦、ダイアル、リモコン送受信機等で構成される。表示部３２５は、ＡＶアンプ３００の動作状態、ユーザの操作状態等を表示し、ＬＣＤ等で構成される。
【００９８】
光入力端子３０５は、光ケーブルを通じて、例えばＳ／ＰＤＩＦ規格のデジタル光信号を入力する端子である。変換部３１０は、光入力端子３０５に入力されたデジタル光信号から２４ビットの左右の音声データＬＤＡＴＡ、ＲＤＡＴＡと、データの各ビットに同期したビットクロックＢＣＫを生成し、これらをセレクタ３１６へ供給する。
【００９９】
また変換部３１０は、ＢＤレコーダ４００、ＤＶＤプレーヤ５００又はＤＶＤレコーダ６００からＨＤＭＩ端子３０１〜３０３の何れ及びリレーでなるスイッチ回路３３０を介して入力されたＡＶコンテンツの再生データから、音声信号のサンプリング周波数と同じ周波数（例えば、４４．１ｋＨｚ）を持つクロックＣＫ、サンプリング周波数の逓倍、例えば５１２倍あるいは２５６倍のマスタークロックＭＣＫを生成し、これらをＣＰＵ３２１へ供給する。
【０１００】
アナログ音声入力端子３１１は、外部機器で得られる左右のアナログ音声信号を入力する端子である。アンテナ端子３１２は、ＦＭ受信アンテナ（図示せず）で受信されたＦＭ放送信号を入力する端子である。
【０１０１】
ＦＭチューナ３１３は、アンテナ端子３１２に入力されたＦＭ放送信号を処理し、ユーザの選択チャネルに対応した左右のアナログ音声信号を出力する。セレクタ３１４は、アナログ音声入力端子３１１に入力されたアナログ音声信号またはチューナ３１３から出力されたアナログ音声信号を選択的に取り出す。Ａ／Ｄ変換器３１５は、セレクタ３１４で取り出されたアナログ音声信号をデジタルの音声データに変換してセレクタ３１６へ供給する。
【０１０２】
ＨＤＭＩスイッチャ３０６は、ＨＤＭＩ端子３０１〜３０３をＨＤＭＩ受信部３０７に選択的に接続する。ＨＤＭＩ受信部３０７は、ＨＤＭＩスイッチャ３０６を介してＨＤＭＩ端子３０１〜３０３のいずれかに対して選択的に接続される。このＨＤＭＩ受信部３０７は、ＨＤＭＩに準拠した通信により、ＨＤＭＩ端子３０１〜３０３に接続されている外部機器（ソース機器）から一方的に送信されてくるベースバンドの映像データ及び音声データを受信する。
【０１０３】
ＨＤＭＩ受信部３０７は、音声データをセレクタ３１６へ供給すると共に、映像データ及び音声データをＨＤＭＩ送信部３０８へ供給する。ＨＤＭＩ送信部３０８は、ＨＤＭＩに準拠した通信により、ＨＤＭＩ受信部３０７から供給されたベースバンドの映像データ及び音声データをＨＤＭＩ端子３０４から送出する。これによりＡＶアンプ３００は、リピータ機能を発揮するようになされている。ＨＤＭＩ受信部３０７及びＨＤＭＩ送信部３０８の詳細は後述する。
【０１０４】
セレクタ３１６は、ＨＤＭＩ受信部３０７から供給される音声データ、変換部３１０から供給される音声データまたはＡ／Ｄ変換器３１５から供給される音声データを選択的に取り出し、ＤＳＰ３１７へ供給する。
【０１０５】
ＤＳＰ３１７は、セレクタ３１６を介して供給された音声データを内部のバッファを介して処理し、例えば、５．１ｃｈサラウンドを実現するための各チャネルの音声データを生成する処理、デジタル信号をアナログ信号に変換する処理等を行った後、その音声データをＤ／Ａ変換器３３１へ送出する。
【０１０６】
Ｄ／Ａ変換器３３１は、内部クロックに従って音声データをディジタルアナログ変換するが、その際、そのＤ／Ａ変換器の内部クロックＩＣＫの速度に合わせるようにＤＳＰ３１７から音声データを出力させる必要がある。
【０１０７】
このときＣＰＵ３２１は、変換部３１０を介して供給されたマスタークロックＭＣＫと、Ｄ／Ａ変換器の内部クロックＩＣＫとのクロック周波数にずれがあると、ＤＳＰ３１７の内部バッファに対して蓄積する音声データがオーバーフローしたり、アンダーフローするおそれが生じる。
【０１０８】
そこでＣＰＵ３２１は、Ｄ／Ａ変換器の内部クロックＩＣＫと、変換部３１０を介して供給されたマスタークロックＭＣＫとのクロック周波数のずれ分を解消すべく、ＨＤＭＩ端子３０１、３０２又は３０３を介して、再生側のＢＤレコーダ４００、ＤＶＤプレーヤ５００又はＤＶＤレコーダ６００に対してクロック周波数を速くするか或は遅くするかのクロック調整コマンドを出力するようになされている。
【０１０９】
かくしてＡＶアンプ３００は、Ｄ／Ａ変換器３３１の内部クロックＩＣＫと、再生側のＢＤレコーダ４００、ＤＶＤプレーヤ５００又はＤＶＤレコーダ６００におけるクロックとを同期させることにより、オーバーフロー又はアンダーフローのおそれを回避し得るようになされている。
【０１１０】
また、このときＡＶアンプ３００は、再生側のＢＤレコーダ４００、ＤＶＤプレーヤ５００又はＤＶＤレコーダ６００からの再生データに基づいて生成したマスタークロックＭＣＫにクロック揺らぎがあったとしても、Ｄ／Ａ変換器の内部クロックＩＣＫと同期させることができるので、クロック揺らぎの影響についても予め排除し得るようになされている。
【０１１１】
音声増幅回路３１８は、ＤＳＰ３１７から出力されるフロントレフト音声信号ＳＦＬ、フロントライト音声信号ＳＦＲ、フロントセンタ音声信号ＳＦＣ、とリアレフト音声信号ＳＲＬ、リアライト音声信号ＳＲＲ、及びサブウーファ音声信号ＳＳＷを増幅し、これらを音声出力端子３１９ａ〜３１９ｆへ出力する。
【０１１２】
なお、図示していないが、音声出力端子３１９ａ〜３１９ｆには、スピーカ群３５０を構成するフロントレフトスピーカ、フロントライトスピーカ、フロントセンタスピーカ、リアレフトスピーカ、リアライトスピーカ及びサブウーファスピーカが接続されている。
【０１１３】
さらにＡＶアンプ３００では、ＨＤＭＩ端子３０４とＣＰＵ３２１との間（すなわち破線で示されているＣＥＣライン上）にリレーでなるスイッチ回路３３０が設けられている。これによりＡＶアンプ３００は、ＨＤＭＩ端子３０４を介してＨＤＭＩ接続されるテレビ受信機２００に対するＣＥＣメッセージの送出を制御し得るようになされている。なおＡＶアンプ３００におけるスイッチ回路３３０を用いたＣＥＣライン制御については後述する。
【０１１４】
続いて、このＡＶアンプ３００の動作を簡単に説明する。ＨＤＭＩ受信部３０７では、ＨＤＭＩケーブル７０３、７０４又は７０５を介してＨＤＭＩ端子３０１、３０２又は３０３に入力されるベースバンドの映像データ及び音声データが得られる。この映像データ及び音声データは、ＨＤＭＩ送信部３０８へ供給され、ＨＤＭＩ端子３０４に接続されたＨＤＭＩケーブル７０１に送出される。
【０１１５】
また、ＨＤＭＩ受信部３０７を介して得られる音声データは、セレクタ３１６へ供給される。セレクタ３１６では、ＨＤＭＩ受信部３０７から供給される音声データ、変換部３１０から供給される音声データ、またはＡ／Ｄ変換器３１５から供給される音声データが選択的に取り出され、ＤＳＰ３１７へ供給される。
【０１１６】
ＤＳＰ３１７では、音声データに対して、５．１ｃｈサラウンドを実現するための各チャンネルの音声データを生成する処理、デジタル信号をアナログ信号へ変換する処理等の必要な処理が施される。ＤＳＰ３１７から出力される各チャンネルの音声信号はＤ／Ａ変換器３３１及び音声増幅回路３１８を介して音声出力端子３１９ａ〜３１９ｆへ出力される。
【０１１７】
例えばＡＶシステム１００（図１）において、テレビ受信機２００のデジタルチューナ２１１で選局された番組の視聴を行う場合であって、ＡＶアンプ３００がシステムオーディオモードＯＮの状態にあるときには、以下のような動作となる。
【０１１８】
すなわち、セレクタ３１６では変換部３１０からの音声データが取り出される。これにより、音声出力端子３１９ａ〜３１９ｆには、テレビ受信機２００のデジタルチューナ２１１で選局された番組の音声データに係る各チャネルの音声信号が出力される。そのため、ＡＶアンプ３００に接続されているスピーカ群３５０からは、テレビ受信機２００のデジタルチューナ２１１で選局された番組の音声が出力されることになる。
【０１１９】
なお、テレビ受信機２００のデジタルチューナ２１１で選局された番組の視聴を行う場合であって、ＡＶアンプ３００がシステムオーディオモードＯＦＦの状態にあるときには、音声増幅回路３１８がミューティング状態とされ、音声増幅回路３１８から音声出力端子３１９ａ〜３１９ｆに音声信号は供給されない。
【０１２０】
また、ＡＶシステム１００（図１）において、ＢＤレコーダ４００からの映像データ、音声データによる画像、音声の視聴を行う場合であって、ＡＶアンプ３００がシステムオーディオモードＯＮの状態にあるときには、以下のような動作となる。
【０１２１】
すなわち、ＨＤＭＩスイッチャ３０６によりＨＤＭＩ端子３０１がＨＤＭＩ受信部３０７に接続される。またセレクタ３１６では、ＨＤＭＩ受信部３０７からの音声データが取り出される。これにより、音声出力端子３１９ａ〜３１９ｆには、ＢＤレコーダ４００からの音声データに係る各チャネルの音声信号が出力される。そのため、ＡＶアンプ３００に接続されているスピーカ群３５０からは、ＢＤレコーダ４００からの音声データによる音声が出力されることになる。
【０１２２】
なお、ＢＤレコーダ４００からの映像データ、音声データによる画像、音声の視聴を行う場合であって、ＡＶアンプ３００がシステムオーディオモードＯＦＦの状態にあるときには、音声増幅回路３１８がミューティング状態とされ、音声増幅回路３１８から音声出力端子３１９ａ〜３１９ｆに音声信号は供給されない。
【０１２３】
さらに、ＡＶシステム１００（図１）において、ＤＶＤプレーヤ５００からの映像データ、音声データによる画像、音声の視聴を行う場合であって、ＡＶアンプ３００がシステムオーディオモードＯＮの状態にあるときには、以下のような動作となる。
【０１２４】
すなわち、ＨＤＭＩスイッチャ３０６によりＨＤＭＩ端子３０２がＨＤＭＩ受信部３０７に接続される。また、セレクタ３１６では、ＨＤＭＩ受信部３０７からの音声データが取り出される。これにより、音声出力端子３１９ａ〜３１９ｆには、ＤＶＤプレーヤ５００からの音声データに係る各チャネルの音声信号が出力される。そのため、ＡＶアンプ３００に接続されているスピーカ群３５０からは、ＤＶＤプレーヤ５００からの音声データによる音声が出力されることになる。
【０１２５】
なお、ＤＶＤプレーヤ５００からの映像データ、音声データによる画像、音声の視聴を行う場合であって、ＡＶアンプ３００がシステムオーディオモードＯＦＦの状態にあるときには、音声増幅回路３１８がミューティング状態とされ、音声増幅回路３１８から音声出力端子３１９ａ〜３１９ｆに音声信号は供給されない。
【０１２６】
さらに、ＡＶシステム１００（図１）において、ＤＶＤレコーダ６００からの映像データ、音声データによる画像、音声の視聴を行う場合であって、ＡＶアンプ３００がシステムオーディオモードＯＮの状態にあるときには、以下のような動作となる。
【０１２７】
すなわち、ＨＤＭＩスイッチャ３０６によりＨＤＭＩ端子３０３がＨＤＭＩ受信部３０７に接続される。また、セレクタ３１６では、ＨＤＭＩ受信部３０７からの音声データが取り出される。これにより、音声出力端子３１９ａ〜３１９ｆには、ＤＶＤレコーダ６００からの音声データに係る各チャネルの音声信号が出力される。そのため、ＡＶアンプ３００に接続されているスピーカ群３５０からは、ＤＶＤレコーダ６００からの音声データによる音声が出力されることになる。
【０１２８】
なお、ＤＶＤレコーダ６００からの映像データ、音声データによる画像、音声の視聴を行う場合であって、ＡＶアンプ３００がシステムオーディオモードＯＦＦの状態にあるときには、音声増幅回路３１８がミューティング状態とされ、音声増幅回路３１８から音声出力端子３１９ａ〜３１９ｆに音声信号は供給されない。
【０１２９】
因みに、セレクタ３１６でＡ／Ｄ変換器３１５から供給される音声データが取り出される場合、すなわちアナログ音声入力端子３１１に入力されるアナログ音声信号による音声出力時、またはＦＭチューナ３１３で得られる音声データによる音声出力時には、以下のような動作となる。
【０１３０】
すなわち、セレクタ３１６では、Ａ／Ｄ変換器３１５からの音声データが取り出される。これにより音声出力端子３１９ａ〜３１９ｆに接続されているスピーカ群３５０からは、アナログ音声信号またはＦＭ音声信号による音声が出力される。
【０１３１】
［１−６．ＨＤＭＩ規格の伝送構成及び処理］
図６は、ＨＤＭＩ送信部（ＨＤＭＩ送信部３０８、ＨＤＭＩ送信部４０２）と、ＨＤＭＩ受信部（ＨＤＭＩ受信部２０５、ＨＤＭＩ受信部３０７）の構成例を示している。
【０１３２】
ＨＤＭＩ送信部（ＨＤＭＩソース）は、一の垂直同期信号から次の垂直同期信号までの区間から、水平帰線区間及び垂直帰線区間を除いた区間である有効画素区間（以下、適宜アクティブビデオ区間ともいう。）において、非圧縮の１画面分の画像の画素データに対応する差動信号を、複数のチャネルで、ＨＤＭＩ受信部（ＨＤＭＩシンク）へ一方的に送信すると共に、水平帰線区間又は垂直帰線区間において、少なくとも画像に付随する音声データや制御データ、その他の補助データ等に対応する差動信号を、複数のチャネルで、ＨＤＭＩ受信部へ一方向に送信する。
【０１３３】
すなわちＨＤＭＩ送信部は、ＨＤＭＩトランスミッタ８１を有し、当該ＨＤＭＩトランスミッタ８１を介して、例えば非圧縮の画像の画素データを対応する差動信号に変換し、複数のチャネルである３つのＴＭＤＳチャネル♯０、♯１、♯２で、ＨＤＭＩケーブルを介して接続されているＨＤＭＩ受信部へ一方向にシリアル伝送する。
【０１３４】
またＨＤＭＩトランスミッタ８１は、非圧縮の画像に付随する音声データ、さらには、必要な制御データその他の補助データ等を、対応する差動信号に変換し、３つのＴＭＤＳチャネル♯０、♯１、♯２により、ＨＤＭＩケーブルを介して接続されているＨＤＭＩ受信部へ一方向にシリアル伝送する。
【０１３５】
さらにＨＤＭＩトランスミッタ８１は、３つのＴＭＤＳチャネル♯０、♯１、♯２により伝送する画素データに同期したピクセルクロックを、ＴＤＭＳクロックチャネルで、ＨＤＭＩケーブルを介して接続されているＨＤＭＩ受信部へ送信する。ここで、１つのＴＭＤＳチャネル♯ｉ（ｉ＝０、１、２）では、ピクセルクロックの１クロックの間に、１０ビットの画素データが送信される。
【０１３６】
ＨＤＭＩ受信部は、アクティブビデオ区間において、複数のチャネルで、ＨＤＭＩ送信部から一方向に送信されてくる画素データに対応する差動信号を受信する。また、ＨＤＭＩ受信部は、水平帰線区間または垂直帰線区間において、複数のチャネルで、ＨＤＭＩ送信部から一方向に送信されてくる音声データや制御データに対応する差動信号を受信する。
【０１３７】
すなわちＨＤＭＩ受信部は、ＨＤＭＩレシーバ８２を有する。ＨＤＭＩレシーバ８２は、ＴＤＭＳチャネル♯０、♯１、♯２により、ＨＤＭＩケーブルを介して接続されているＨＤＭＩ送信部から一方向に送信されてくる画素データに対応する差動信号と、音声データや制御データに対応する差動信号を、同じくＨＤＭＩ送信部からＴＭＤＳクロックチャネルで送信されてくるピクセルクロックに同期して受信する。
【０１３８】
ＨＤＭＩ送信部とＨＤＭＩ受信部とからなるＨＤＭＩシステムの伝送チャネルには、ＨＤＭＩ送信部からＨＤＭＩ受信部に対して、画素データ及び音声データを、ピクセルクロックに同期して、一方向にシリアル伝送するための伝送チャネルとしての３つのＴＭＤＳチャネル♯０乃至♯２と、ピクセルクロックを伝送する伝送チャネルとしてのＴＭＤＳクロックチャネルの他に、ＤＤＣ(Display Data Channel)８３やＣＥＣライン８４と呼ばれる伝送チャネルがある。
【０１３９】
ＤＤＣ８３は、ＨＤＭＩケーブルに含まれる２本の信号線（図示せず）からなり、ＨＤＭＩ送信部がＨＤＭＩケーブルを介して接続されたＨＤＭＩ受信部から、Ｅ−ＥＤＩＤ(Enhanced Extended Display Identification Data)を読み出すために使用される。
【０１４０】
すなわちＨＤＭＩ受信部は、ＨＤＭＩレシーバ８２の他に、自身の性能(Configuration/capability)に関する性能情報であるＥ−ＥＤＩＤを記憶するためのＥＤＩＤ ＲＯＭ８５を有している。ＨＤＭＩ送信部は、ＨＤＭＩケーブルを介して接続されているＨＤＭＩ受信部から、当該ＨＤＭＩ受信部のＥ−ＥＤＩＤをＤＤＣ８３を介して読み出し、そのＥ−ＥＤＩＤに基づき、例えばＨＤＭＩ受信部を有する電子機器が対応している画像のフォーマット（プロファイル）、例えば、ＲＧＢ、ＹＣｂＣｒ４：４：４、ＹＣｂＣｒ４：２：２等を認識する。
【０１４１】
ＣＥＣライン８４は、ＨＤＭＩケーブルに含まれる１本の信号線からなり、ＨＤＭＩ送信部とＨＤＭＩ受信部との間で、制御用データの双方向通信を行うのに用いられる。
【０１４２】
またＨＤＭＩケーブルには、ＨＰＤ(Hot Plug Detect)と呼ばれるピンに接続されるライン８６が含まれている。ソース機器は、当該ライン８６を利用して、シンク機器の接続を検出することができる。また、ＨＤＭＩケーブルには、ソース機器からシンク機器に電源を供給するために用いられるライン８７が含まれている。さらに、ＨＤＭＩケーブルにはリザーブライン８８が含まれている。
【０１４３】
図７に示すように、ＨＤＭＩトランスミッタ８１は、３つのＴＭＤＳチャネル♯０乃至♯２にそれぞれ対応する３つのエンコーダ／シリアライザ８１Ａ、８１Ｂ、８１Ｃを有する。そして、エンコーダ／シリアライザ８１Ａ、８１Ｂ、８１Ｃのそれぞれは、そこに供給される画像データ、補助データ、制御データをエンコードし、パラレルデータからシリアルデータに変換して、差動信号により送信する。
【０１４４】
ここで画像データが、例えばＲ（赤）、Ｇ（緑）、Ｂ（青）の３成分を有する場合、Ｂ成分(B component)はエンコーダ／シリアライザ８１Ａに供給され、Ｇ成分(G component)はエンコーダ／シリアライザ８１Ｂに供給され、Ｒ成分(R component)はエンコーダ／シリアライザ８１Ｃに供給される。
【０１４５】
また、補助データとして、例えば、音声データや制御パケットがあり、制御パケットは、例えば、エンコーダ／シリアライザ８１Ａに供給され、音声データは、エンコーダ／シリアライザ８１Ｂ、８１Ｃに供給される。
【０１４６】
さらに制御データとしては、１ビットの垂直同期信号(VSYNC)、１ビットの水平同期信号(HSYNC)、及び、それぞれ１ビットの制御ビットＣＴＬ０、ＣＴＬ１、ＣＴＬ２、ＣＴＬ３がある。垂直同期信号及び水平同期信号は、エンコーダ／シリアライザ８１Ａに供給される。制御ビットＣＴＬ０、ＣＴＬ１は、エンコーダ／シリアライザ８１Ｂに供給され、制御ビットＣＴＬ２、ＣＴＬ３はエンコーダ／シリアライザ８１Ｃに供給される。
【０１４７】
エンコーダ／シリアライザ８１Ａは、そこに供給される画像データのＢ成分、垂直同期信号及び水平同期信号、並びに補助データを時分割で送信する。すなわちエンコーダ／シリアライザ８１Ａは、そこに供給される画像データのＢ成分を、固定のビット数である８ビット単位のパラレルデータとし、そのパラレルデータをエンコードしてシリアルデータに変換した後、ＴＭＤＳチャネル♯０を介して送信する。
【０１４８】
また、エンコーダ／シリアライザ８１Ａは、そこに供給される垂直同期信号及び水平同期信号の２ビットのパラレルデータをエンコードしてシリアルデータに変換した後、ＴＭＤＳチャネル♯０を介して送信する。
【０１４９】
さらにエンコーダ／シリアライザ８１Ａは、そこに供給される補助データを４ビット単位のパラレルデータとし、そのパラレルデータをエンコードしてシリアルデータに変換した後、ＴＭＤＳチャネル♯０を介して送信する。
【０１５０】
エンコーダ／シリアライザ８１Ｂは、そこに供給される画像データのＧ成分、制御ビットＣＴＬ０、ＣＴＬ１、並びに補助データを時分割で送信する。すなわちエンコーダ／シリアライザ８１Ｂは、そこに供給される画像データのＧ成分を、固定のビット数である８ビット単位のパラレルデータとし、そのパラレルデータをエンコードしてシリアルデータに変換した後、ＴＭＤＳチャネル♯１を介して送信する。
【０１５１】
また、エンコーダ／シリアライザ８１Ｂは、そこに供給される制御ビットＣＴＬ０、ＣＴＬ１の２ビットのパラレルデータをエンコードしてシリアルデータに変換した後、ＴＭＤＳチャネル♯１を介して送信する。
【０１５２】
さらにエンコーダ／シリアライザ８１Ｂは、そこに供給される補助データを４ビット単位のパラレルデータとし、そのパラレルデータをエンコードしてシリアルデータに変換した後、ＴＭＤＳチャネル♯１を介して送信する。
【０１５３】
エンコーダ／シリアライザ８１Ｃは、そこに供給される画像データのＲ成分、制御ビットＣＴＬ２、ＣＴＬ３、並びに補助データを時分割で送信する。すなわちエンコーダ／シリアライザ８１Ｃは、そこに供給される画像データのＲ成分を、固定のビット数である８ビット単位のパラレルデータとし、そのパラレルデータをエンコードしてシリアルデータに変換した後、ＴＭＤＳチャネル♯２を介して送信する。
【０１５４】
また、エンコーダ／シリアライザ８１Ｃは、そこに供給される制御ビットＣＴＬ２、ＣＴＬ３の２ビットのパラレルデータをエンコードしてシリアルデータに変換した後、ＴＭＤＳチャネル♯２を介して送信する。
【０１５５】
さらにエンコーダ／シリアライザ８１Ｃは、そこに供給される補助データを４ビット単位のパラレルデータとし、そのパラレルデータをエンコードしてシリアルデータに変換した後、ＴＭＤＳチャネル♯２を介して送信する。
【０１５６】
ＨＤＭＩレシーバ８２は、３つのＴＭＤＳチャネル♯０、♯１、♯２にそれぞれ対応する３つのリカバリ／デコーダ８２Ａ、８２Ｂ、８２Ｃを有する。そして、リカバリ／デコーダ８２Ａ、８２Ｂ、８２Ｃのそれぞれは、ＴＭＤＳチャネル♯０、♯１、♯２を介して差動信号により送信されてくる画像データ、補助データ、制御データを受信する。さらに、リカバリ／デコーダ８２Ａ、８２Ｂ、８２Ｃのそれぞれは、画像データ、補助データ、制御データをシリアルデータからパラレルデータに変換した後、さらにデコードして出力する。
【０１５７】
すなわちリカバリ／デコーダ８２Ａは、ＴＭＤＳチャネル♯０を介して差動信号により送信されてくる画像データのＢ成分、垂直同期信号及び水平同期信号、補助データを受信する。そしてリカバリ／デコーダ８２Ａは、その画像データのＢ成分、垂直同期信号及び水平同期信号、補助データをシリアルデータからパラレルデータに変換した後、デコードして出力する。
【０１５８】
リカバリ／デコーダ８２Ｂは、ＴＭＤＳチャネル♯１を介して差動信号により送信されてくる画像データのＧ成分、制御ビットＣＴＬ０、ＣＴＬ１、補助データを受信する。そしてリカバリ／デコーダ８２Ｂは、その画像データのＧ成分、制御ビットＣＴＬ０、ＣＴＬ１、補助データをシリアルデータからパラレルデータに変換した後、デコードして出力する。
【０１５９】
リカバリ／デコーダ８２Ｃは、ＴＭＤＳチャネル♯２で差動信号により送信されてくる画像データのＲ成分、制御ビットＣＴＬ２、ＣＴＬ３、補助データを受信する。そしてリカバリ／デコーダ８２Ｃは、その画像データのＲ成分、制御ビットＣＴＬ２、ＣＴＬ３、補助データをシリアルデータからパラレルデータに変換した後、デコードして出力する。
【０１６０】
図８では、ＨＤＭＩの３つのＴＭＤＳチャネル♯０、♯１、♯２を介して各種の伝送データが伝送される伝送区間（期間）の例が示されている。なお、図８では、ＴＭＤＳチャネル♯０、♯１、♯２において、横×縦が７２０×４８０画素のプログレッシブ画像が伝送される場合の各種伝送データの区間が示されている。
【０１６１】
ＨＤＭＩの３つのＴＭＤＳチャネル♯０、♯１、♯２を介して伝送データが伝送されるビデオフィールドには、伝送データの種類に応じて、ビデオデータ区間(Video Data period)、データアイランド区間(Data Island period)、及びコントロール区間(Control period)の３種類の区間が存在する。
【０１６２】
ここで、ビデオフィールド区間は、ある垂直同期信号の立ち上がりエッジ(active edge)から次の垂直同期信号の立ち上がりエッジまでの区間であり、水平ブランキング期間(horizontal blanking)、垂直ブランキング期間(vertical blanking)、並びに、ビデオフィールド区間から、水平ブランキング期間及び垂直ブランキング期間を除いた区間であるアクティブビデオ区間(Active Video)に分けられる。
【０１６３】
ビデオデータ区間は、アクティブビデオ区間に割り当てられる。このビデオデータ区間では、非圧縮の１画面分の画像データを構成する７２０画素×４８０ライン分の有効画素(Active pixel)のデータが伝送される。
【０１６４】
データアイランド区間及びコントロール区間は、水平ブランキング期間及び垂直ブランキング期間に割り当てられる。このデータアイランド区間及びコントロール区間では、補助データ(Auxiliary data)が伝送される。
【０１６５】
すなわち、データアイランド区間は、水平ブランキング期間と垂直ブランキング期間の一部分に割り当てられている。このデータアイランド区間では、補助データのうち、制御に関係しないデータである。例えば、音声データのパケット等が伝送される。
【０１６６】
コントロール区間は、水平ブランキング期間と垂直ブランキング期間の他の部分に割り当てられている。このコントロール区間では、補助データのうち、制御に関係するデータである例えば垂直同期信号及び水平同期信号、制御パケット等が伝送される。
【０１６７】
ここで、現行のＨＤＭＩでは、ＴＭＤＳクロックチャネルで伝送されるピクセルクロックの周波数が例えば１６５ＭＨｚであり、この場合、データアイランド区間の伝送レートは約５００Ｍｂｐｓ程度である。
【０１６８】
図９は、ＨＤＭＩ端子におけるタイプＡ(type-A)のピン配列を示している。ＴＭＤＳチャネル♯ｉの差動信号であるＴＭＤＳ Ｄａｔａ♯ｉ＋と、ＴＭＤＳ Ｄａｔａ♯ｉ−とが伝送される差動線である２本のラインは、ＴＭＤＳ Ｄａｔａ♯ｉ＋が割り当てられているピン（ピン番号が１，４，７のピン）と、ＴＭＤＳ Ｄａｔａ♯ｉ−が割り当てられているピン（ピン番号が３，６，９のピン）とに対して接続される。
【０１６９】
また、制御用のデータであるＣＥＣメッセージが伝送されるＣＥＣライン８４（図６）は、ピン番号が１３であるピンと接続され、ピン番号が１４のピンは空き(Reserved)ピンとなっている。
【０１７０】
また、Ｅ−ＥＤＩＤ等のＳＤＡ(Serial Data)信号が伝送されるラインは、ピン番号が１６であるピンと接続され、ＳＤＡ信号の送受信時の同期に用いられるクロック信号であるＳＣＬ(Serial Clock)信号が伝送されるラインは、ピン番号が１５であるピンと接続される。上述したＤＤＣ８３（図６）は、ＳＤＡ信号が伝送されるラインおよびＳＣＬ信号が伝送されるラインにより構成される。
【０１７１】
また、上述したようにソース機器がシンク機器の接続を検出するためのライン８６は、ピン番号が１９であるピンと接続される。また、上述したように電源を供給するためのライン８７はピン番号が１８であるピンと接続される。
【０１７２】
次に、図１０では、ソース機器１０（ＢＤレコーダ４００、ＤＶＤプレーヤ５００、ＤＶＤレコーダ６００）と、リピータ機器２０（ＡＶアンプ３００）と、シンク機器３０（テレビ受信機２００）とがＨＤＭＩケーブルで接続された場合における要部の構成例が示されている。
【０１７３】
ＨＤＭＩケーブルは、映像データと音声データを差動方式で伝送するためのＴＭＤＳラインと、機器間で共通の制御データ（ＣＥＣメッセージ）を伝送する双方向バスであるＣＥＣラインとを含んでいる。
【０１７４】
ソース機器１０は、例えば、ＡＶシステム１００（図１）のＢＤレコーダ４００、ＤＶＤプレーヤ５００、ＤＶＤレコーダ６００に対応し、制御部１１と、ＨＤＭＩトランスミッタ１２と、ＣＥＣインタフェース１３とを有している。
【０１７５】
ここで制御部１１は、例えば、ＢＤレコーダ４００（図４）のＣＰＵ４２１、フラッシュＲＯＭ４２２、ＤＲＡＭ４２３に対応している。またＨＤＭＩトランスミッタ１２およびＣＥＣインタフェース１３は、例えば、ＢＤレコーダ４００（図４）のＨＤＭＩ送信部４０２に対応している。なお、ＨＤＭＩトランスミッタ１２及びＣＥＣインタフェース１３は、例えばＢＤレコーダ４００のＨＤＭＩ端子４０１と接続されている。
【０１７６】
また、リピータ機器２０は、例えば、ＡＶシステム１００（図１）のＡＶアンプ３００に対応し、制御部２１と、ＨＤＭＩレシーバ２２と、ＨＤＭＩトランスミッタ２３と、ＣＥＣインタフェース２４とを有している。
【０１７７】
ここで、制御部２１は、例えば、ＡＶアンプ３００（図６）のＣＰＵ３２１、フラッシュＲＯＭ３２２及びＣＥＣインタフェース２４に対応している。また、ＨＤＭＩレシーバ２２、ＨＤＭＩトランスミッタ２３及びＣＥＣインタフェース２４は、例えば、ＡＶアンプ３００（図６）のＨＤＭＩ受信部３０７及びＨＤＭＩ送信部３０８に対応している。なお、ＨＤＭＩレシーバ２２はＡＶアンプ３００のＨＤＭＩ端子３０１、３０２及び３０３と接続され、ＨＤＭＩトランスミッタ２３はＡＶアンプ３００のＨＤＭＩ端子３０４と接続されている。
【０１７８】
そして制御部２１とＨＤＭＩ端子３０４とが接続されたＣＥＣライン（細破線）上では、リレーでなるスイッチ回路３３０（図５参照）及びＣＥＣインタフェース２４が設けられている。
【０１７９】
また、シンク機器３０は、例えばＡＶシステム１００（図１）のテレビ受信機２００に対応し、制御部３１と、ＨＤＭＩレシーバ３２と、ＣＥＣインタフェース３３と、リモコン受信部３４と、リモコン送信機３５とを有している。ここで制御部３１は、例えばテレビ受信機２００（図３）のＣＰＵ２３１、フラッシュＲＯＭ２３２、ＤＲＡＭ２３３に対応している。
【０１８０】
また、ＨＤＭＩレシーバ３２及びＣＥＣインタフェース３３は、例えばテレビ受信機２００（図３）のＨＤＭＩ受信部２０５に対応している。リモコン受信部３４及びリモコン送信機３５は、テレビ受信機２００（図３）のリモコン受信機２３４及びリモコン送信機２３５に対応している。
【０１８１】
ソース機器１０のＨＤＭＩトランスミッタ１２とリピータ機器２０のＨＤＭＩレシーバ２２とは、ソース機器１０のＨＤＭＩ端子４０１及びリピータ機器２０のＨＤＭＩ端子３０２を介してＴＭＤＳラインにより接続されている。
【０１８２】
また、リピータ機器２０のＨＤＭＩトランスミッタ２３とシンク機器３０のＨＤＭＩレシーバ３２とは、リピータ機器２０のＨＤＭＩ端子３０４及びシンク機器３０のＨＤＭＩ端子２０１を介してＴＭＤＳラインにより接続されている。
【０１８３】
また、ソース機器１０、リピータ機器２０およびシンク機器３０のＣＥＣインタフェース１３、２４、３３は、ＣＥＣラインにより共通に接続されている。すなわち、ソース機器１０及びリピータ機器２０は、ソース機器のＨＤＭＩ端子４０１とリピータ機器２０のＨＤＭＩ端子３０２とがＣＥＣラインにより接続され、リピータ機器２０及びシンク機器３０は、リピータ機器２０のＨＤＭＩ端子３０４とシンク機器３０のＨＤＭＩ端子２０１とがＣＥＣラインにより接続されている。
【０１８４】
このようにソース機器１０、リピータ機器２０及びシンク機器３０はＣＥＣラインで共通に接続されているので、互いに制御可能な状態であり、例えばシンク機器３０のリモコン送信機３５により、当該ＣＥＣラインを通じて、リピータ機器２０及びソース機器３０に対する操作が可能となる。
【０１８５】
これによりリピータ機器２０の制御部２１は、ソース機器１０からＨＤＭＩ端子４０１、ＣＥＣライン及びＨＤＭＩ端子３０２を介して送信されてくるＣＥＣメッセージについて、スイッチ回路３３０をオンオフ制御することにより、ＨＤＭＩ端子３０４、ＣＥＣライン及びＨＤＭＩ端子２０１を介してシンク機器３０へ供給したり、或はシンク機器３０への供給を停止し得るようになされている。
【０１８６】
図１１は、ＣＥＣライン（ＣＥＣチャネル）で伝送されるデータのブロック構成を示している。ＣＥＣラインでは、１ブロックが４．５ｍ秒で伝送される構成としている。データ伝送開始時には、スタートビットが配置され、それに続いて、ヘッダブロックが配置され、その後に、実際に伝送したいデータが含まれる任意の個数（ｎ個）のデータブロック１〜ｎが配置される。
【０１８７】
図１２は、ヘッダブロックのデータ構造例を示している。ヘッダブロックには、送信元の論理アドレス（ソースアドレス）と、送信先の論理アドレス（シンクアドレス）とが配置され、その後にＥＯＭ(End Of Message)及びＡＣＫ(Acknowledgement)が続く構造となっている。
【０１８８】
［１−７．リピータ機器（ＡＶアンプ）におけるＣＥＣライン制御］
図１０との対応部分に同一符号を付した図１３は、リピータ機器２０（ＡＶアンプ３００）において、スイッチ回路３３０をオンオフ制御することにより、当該リピータ機器２０とシンク機器３０とのＣＥＣラインを接続状態とするか、切断状態とするかを切り換えるための構成例である。
【０１８９】
リピータ機器２０では、電源釦（図示せず）が押下されたパワーオン状態において、電源部２５から制御部２１、ＣＥＣインタフェース２４、パワーリレー２６及びスイッチ回路３３０へ電力を供給し、当該パワーリレー２６を介してＨＤＭＩレシーバ２２及びＨＤＭＩトランスミッタ２３へも電力を供給するようになされている。
【０１９０】
すなわちリピータ機器２０の制御部２１は、電源部２５から電力供給を受けたパワーオン状態であれば、ＣＥＣインタフェース２４、パワーリレー２６及びスイッチ回路３３０を制御すると共に、パワーリレー２６を介して電力供給を受けたＨＤＭＩレシーバ２２及びＨＤＭＩトランスミッタ２３を制御することができる。
【０１９１】
これに対してリピータ機器２０の制御部２１は、図１４に示すように、ＡＣコンセントを介して商用電源に接続されているものの、電源釦が押下されていないスタンバイ状態において、電源部２５から制御部２１、ＣＥＣインタフェース２４、パワーリレー２６及びスイッチ回路３３０に対しては電源を供給するものの、当該パワーリレー２６を介してＨＤＭＩレシーバ２２及びＨＤＭＩトランスミッタ２３へ電源を供給することについては停止するようになされている。
【０１９２】
従って、この場合リピータ機器２０では、ＨＤＭＩレシーバ２２及びＨＤＭＩトランスミッタ２３を動作させることはできず、リピータ機能が停止してしまうことになるが、その一方で消費電力を低減し得るようになされている。
【０１９３】
但しリピータ機器２０では、制御部２１及びスイッチ回路３３０に対しては電力を供給しているので、スタンバイ状態であっても、ＣＥＣ連携状態であれば当該スイッチ回路３３０をオン状態としてリピータ機器２０のＨＤＭＩ端子３０４と、シンク機器３０のＨＤＭＩ端子２０１とを結ぶＣＥＣラインを接続状態とするか、或はＣＥＣ限定状態であればスイッチ回路３３０をオフ状態として当該ＣＥＣラインを切断状態とするかを切り換え得るようになされている。
【０１９４】
［１−８．ＣＥＣ連携状態及びＣＥＣ限定状態］
ところでリピータ機器２０においては、スイッチ回路３３０をオン状態とすることにより、ソース機器１０とシンク機器３０との間でＣＥＣ連携機能を動作させるＣＥＣ連携状態と、スイッチ回路３３０をオフ状態とすることによりＣＥＣ連携機能の一部を限定するＣＥＣ限定状態とを、使い分けられるようになされている。
【０１９５】
実際上、リピータ機器２０では、シンク機器３０であるテレビ受信機２００の表示パネル２１６に表示したメニュー画面等を介してＣＥＣ連携状態とすることがユーザにより設定された場合、ワンタッチプレイ機能、オーディオレートコントロール機能及びシステムスタンバイ機能を全て有効として動作させるようになされている。なお、ＣＥＣ連携状態に対応して動作させる機能としてはこれらに限られるものではない。
【０１９６】
ここでワンタッチプレイ機能とは、ソース機器１０であるＢＤレコーダ４００、ＤＶＤプレーヤ５００又はＤＶＤレコーダ６００の何れかに対応した入力切替をリピータ機器２０及びシンク機器３０が自動的に行う機能である。なお、このワンタッチプレイ機能は、入力切替という外面的な動的変化をもたらし、それをユーザに目視確認させ得るものであるため「動的な機能」と呼ぶ。
【０１９７】
またオーディオレートコントロール機能とは、リピータ機器２０であるＡＶアンプ３００と、ソース機器１０である例えばＢＤレコーダ４００とのクロック同期を図ることにより、クロック揺らぎの影響を予め排除して音質を高める機能である。なお、このオーディオレートコントロール機能は、音質を高める効果が期待されるが、外面的な動的変化をユーザにもたらして目視確認させ得るようなものではないため「静的な機能」と呼ぶ。
【０１９８】
さらにシステムスタンバイ機能とは、例えばシンク機器３０であるテレビ受信機２００の電源が落とされた場合、それに連動してリピータ機器２０であるＡＶアンプ３００や、ソース機器１０であるＢＤレコーダ４００等の電源についても自動的に落とす機能である。なお、このシステムスタンバイ機能も、電源を落とすという外面的な動的変化をもたらし、それをユーザに目視確認させ得るものであるため「動的な機能」と呼ぶ。
【０１９９】
一方、リピータ機器２０では、シンク機器３０であるテレビ受信機２００の表示パネル２１６に表示したメニュー画面等を介してＣＥＣ限定状態とすることがユーザにより設定された場合、「動的な機能」であるワンタッチプレイ機能及びシステムスタンバイ機能については予め無効とするが、例外的に、「静的な機能」であるオーディオレートコントロール機能については予め有効とするようになされている。
【０２００】
具体的にＡＶシステム１００のリピータ機器２０であるＡＶアンプ３００では、ユーザによりＣＥＣ連携状態が設定された場合、スイッチ回路３３０をオン状態として、「動的な機能」であるワンタッチプレイ機能、「静的な機能」であるオーディオレートコントロール機能及び「動的な機能」であるシステムスタンバイ機能を全て有効として動作させることになる。
【０２０１】
その一方、ＡＶアンプ３００では、工場出荷時にＣＥＣ限定状態をデフォルト設定しておくことによって、ユーザによりＣＥＣ連携状態が積極的に設定されない場合でも、少なくとも「静的な機能」であるオーディオレートコントロール機能だけは最初から有効として予め音質を高めておくようになされている。
【０２０２】
このときＡＶアンプ３００は、工場出荷時あるいはユーザによりＣＥＣ限定状態と設定された場合、スイッチ回路３３０をオフ状態として、「静的な機能」であるオーディオレートコントロール機能だけを動作させ、「動的な機能」であるワンタッチプレイ機能及びシステムスタンバイ機能については動作させずに済むため、結果的に特別なメニュー操作等をユーザに強いることなく、これら各種機能を自動的に使い分けることができる。
【０２０３】
それに加えてＡＶアンプ３００は、外面的な変化を与えるような「動的な機能」であるワンタッチプレイ機能及びシステムスタンバイ機能については動作させずに済むことにより、ユーザが所望しないワンタッチプレイ機能及びシステムスタンバイ機能における余計なリアクション動作が生じてしまうことを予め防止し得るようになされている。
【０２０４】
なお、ＡＶシステム１００における「静的な機能」としては、例えばデジタルサテライトチューナから送られてくる「放送局名」、「アーティスト情報」、「カテゴリ情報」等を当該ＡＶアンプ３００のＦＬ(Fluorescent Lamp)表示管等に対して表示する情報表示機能があり、この情報表示機能についても予め有効とするようにしても良い。
【０２０５】
［１−９．スイッチ回路を介したＣＥＣライン制御処理］
続いて、リピータ機器２０がスイッチ回路３３０のオンオフ状態を制御することによりＣＥＣライン制御処理を行う流れを、場合に分けて説明する。
【０２０６】
ここでリピータ機器２０は、その前提として、ＡＣコンセントを介して商用電源に接続されていない電源無供給状態では、スイッチ回路３３０において必ずライン切断状態となるように設定されている。すなわちスイッチ回路３３０としては、無電源供給状態で必ずライン切断状態になるタイプのリレーが用いられている。
【０２０７】
これは、完全な電源無供給状態では、リピータ機器２０は電源部２５から制御部２１及びスイッチ回路３３０に対しても電力を供給することができない以上、リレーでなるスイッチ回路３３０は必然的にオフとなるが、そのときスイッチ回路３３０としてライン接続状態になるタイプのリレーが用いられた場合、ソース機器１０とシンク機器３０にて「動的な機能」であるワンタッチプレイ機能及びシステムスタンバイ機能が動作してしまうことを防ぐためである。
【０２０８】
またリピータ機器２０であるＡＶアンプ３００は、予めメニュー等を介してＣＥＣ連携状態とＣＥＣ限定状態とを選択できるようになされており、その何れかが選択された場合、ＣＥＣ連携状態またはＣＥＣ限定状態の動作モードをフラッシュＲＯＭ３２２に記憶しておくようになされている。
【０２０９】
これによりリピータ機器２０であるＡＶアンプ３００は、例えＡＣコンセントを介して商用電源に接続されていない無電源状態であっても、フラッシュＲＯＭ３２２に予め記憶された動作モード（ＣＥＣ連携状態またはＣＥＣ限定状態）に従って、その後に電源が供給された場合の動作をコントロールするようになされている。
【０２１０】
［１−９−１．ＣＥＣ限定状態を前提としてＡＣオフ状態→パワーオン状態へ変化した時の制御シーケンス］
図１５に示すように、リピータ機器２０（ＡＶアンプ３００）の制御部２１（ＣＰＵ３２１）は、ルーチンＲＴ１の開始ステップから入って次のステップＳＰ１へ移り、ＡＣコンセントを介して商用電源に接続されていないＡＣオフ状態（無電源状態）から、ＡＣコンセントに接続されてリピータ機器２０の電源釦が押下操作されたパワーオン状態（電力供給状態）へ遷移したことを認識すると、次のステップＳＰ２へ移る。
【０２１１】
ステップＳＰ２においてリピータ機器２０の制御部２１は、ＡＣオフ状態のときにスイッチ回路３３０をオフ状態としているが、予めフラッシュＲＯＭ３２２に記憶されている動作モードがＣＥＣ限定状態であるため、パワーオン状態へ遷移したとしても、当該スイッチ回路３３０をオフ状態としたまま維持し、次のステップＳＰ３へ移る。
【０２１２】
ステップＳＰ３においてリピータ機器２０の制御部２１は、ＣＥＣ限定状態のなかで当該リピータ機器２０自身がＣＥＣ通信に参加するため、ポーリングのＣＥＣメッセージを送信し、次のステップＳＰ４へ移って処理を終了する。
【０２１３】
この場合、ＡＶシステム１００では、パワーオン状態（電力供給状態）へ遷移してもＣＥＣ限定状態であるため、スイッチ回路３３０がオフ状態のままであり、リピータ機器２０とソース機器１０とはＣＥＣ接続されているものの、当該リピータ機器２０とシンク機器３０とはＣＥＣ接続されておらず、かつ「静的な機能」であるオーディオレートコントロール機能だけが動作することになる。
【０２１４】
［１−９−２．パワーオン状態においてＣＥＣ限定状態→ＣＥＣ連携状態へ切り換える時の制御シーケンス］
リピータ機器２０（ＡＶアンプ３００）の制御部２１（ＣＰＵ３２１）は、ルーチンＲＴ１（図１５）の制御シーケンスに続き、図１６に示すルーチンＲＴ２の開始ステップから入って次のステップＳＰ１１へ移る。
【０２１５】
ステップＳＰ１１においてリピータ機器２０の制御部２１は、パワーオン状態において、ユーザによるメニュー等の操作に応じて現在のＣＥＣ限定状態からＣＥＣ連携状態へ遷移することを認識すると、次のステップＳＰ１２へ移る。
【０２１６】
ステップＳＰ１２においてリピータ機器２０の制御部２１は、ＣＥＣ連携状態へ遷移するために、ＣＥＣラインの接続処理すなわちスイッチ回路３３０をオン状態へ切り換え、次のステップＳＰ１３へ移る。
【０２１７】
ステップＳＰ１３においてリピータ機器２０の制御部２１は、ＣＥＣ限定状態からＣＥＣ連携状態へ遷移したので、その変化を表すステータスのＣＥＣメッセージを送信し、次のステップＳＰ１４へ移って処理を終了する。
【０２１８】
この場合、ＡＶシステム１００では、ＣＥＣ限定状態からＣＥＣ連携状態へ遷移したため、スイッチ回路３３０がオフ状態からオン状態へ切り換わり、リピータ機器２０とソース機器１０及びシンク機器３０とが全てＣＥＣ接続され、かつ「静的な機能」であるオーディオレートコントロール機能に加えて、「動的な機能」であるワンタッチプレイ機能及びシステムスタンバイ機能についても動作することになる。
【０２１９】
［１−９−３．ＣＥＣ限定状態を前提としてスタンバイ状態→パワーオン状態へ変化した時の制御シーケンス］
図１７に示すように、リピータ機器２０（ＡＶアンプ３００）の制御部２１（ＣＰＵ３２１）は、ルーチンＲＴ３の開始ステップから入って次のステップＳＰ２１へ移り、ＡＣコンセントを介して商用電源に接続されてはいるが、リピータ機器２０の電源釦が押下操作されていないスタンバイ状態から当該電源釦が押下操作されてパワーオン状態（電力供給状態）へ遷移したことを認識すると、次のステップＳＰ２２へ移る。
【０２２０】
ステップＳＰ２２においてリピータ機器２０の制御部２１は、スタンバイ状態であってもＣＥＣ限定状態を前提としているためスイッチ回路３３０をオフ状態としており、それがパワーオン状態へ遷移したとしても、ＣＥＣ限定状態が設定されたままである以上、当該スイッチ回路３３０をオフ状態としたまま維持し、次のステップＳＰ２３へ移る。
【０２２１】
ステップＳＰ２３においてリピータ機器２０の制御部２１は、ＣＥＣ限定状態のなかで当該リピータ機器２０自身がＣＥＣ通信に参加するため、ポーリングのＣＥＣメッセージを送信し、次のステップＳＰ２４へ移って処理を終了する。
【０２２２】
この場合、ＡＶシステム１００では、スタンバイ状態からパワーオン状態（電源供給状態）へ遷移してもＣＥＣ限定状態であるため、スイッチ回路３３０がオフ状態のままであり、リピータ機器２０とソース機器１０とはＣＥＣ接続されているものの、当該リピータ機器２０とシンク機器３０とはＣＥＣ接続されておらず、かつ「静的な機能」であるオーディオレートコントロール機能だけが動作することになる。
【０２２３】
この後、リピータ機器２０は、パワーオン状態においてＣＥＣ限定状態→ＣＥＣ連携状態へ切り換えるには、上述した［１−９−３．ＣＥＣ限定状態を前提としたスタンバイ状態→パワーオンへ変化時の制御シーケンス］に従って処理を進めればよい。
【０２２４】
［１−９−４．ＣＥＣ連携状態を前提としてスタンバイ状態→パワーオン状態へ変化した時の制御シーケンス］
図１８に示すように、リピータ機器２０（ＡＶアンプ３００）の制御部２１（ＣＰＵ３２１）は、ルーチンＲＴ４の開始ステップから入って次のステップＳＰ３１へ移り、ＡＣコンセントを介して商用電源に接続されてはいるが、リピータ機器２０の電源釦が押下操作されていないスタンバイ状態からパワーオン状態（電源供給状態）へ遷移したことを認識すると、次のステップＳＰ３２へ移る。
【０２２５】
ステップＳＰ３２においてリピータ機器２０の制御部２１は、スタンバイ状態であるが、予めフラッシュＲＯＭ３２２に記憶されている動作モードがＣＥＣ連携状態であるため、スイッチ回路３３０をオン状態としており、それがパワーオン状態へ遷移したとしても、ＣＥＣ連携状態である以上、当該スイッチ回路３３０をオン状態としたまま維持し、次のステップＳＰ３３へ移る。
【０２２６】
ステップＳＰ３３においてリピータ機器２０の制御部２１は、ＣＥＣ連携状態であることを表すステータスのＣＥＣメッセージを送信し、次のステップＳＰ３４へ移って処理を終了する。
【０２２７】
この場合、ＡＶシステム１００では、ＣＥＣ連携状態を前提としてスタンバイ状態からパワーオン状態へ遷移したため、スイッチ回路３３０がオン状態のまま維持され、リピータ機器２０とソース機器１０及びシンク機器３０とが全てＣＥＣ接続された状態で、「静的な機能」であるオーディオレートコントロール機能、「動的な機能」であるワンタッチプレイ機能及びシステムスタンバイ機能の全てが動作することになる。
【０２２８】
［１−９−５．パワーオン状態においてＣＥＣ連携状態→ＣＥＣ限定状態へ切り換える時の制御シーケンス］
リピータ機器２０（ＡＶアンプ３００）の制御部２１（ＣＰＵ３２１）は、ルーチンＲＴ４（図１８）の制御シーケンスに続き、図１９に示すルーチンＲＴ５の開始ステップから入って次のステップＳＰ４１へ移る。
【０２２９】
ステップＳＰ４１においてリピータ機器２０の制御部２１は、パワーオン状態において、ユーザによるメニュー等の操作に応じて現在のＣＥＣ連携状態からＣＥＣ限定状態へ遷移することを認識すると、次のステップＳＰ４２へ移る。
【０２３０】
ステップＳＰ４２においてリピータ機器２０の制御部２１は、ＣＥＣ連携状態からＣＥＣ限定状態へ遷移するために、ＣＥＣラインの切断処理すなわちスイッチ回路３３０をオフ状態へ切り換え、次のステップＳＰ４３へ移る。
【０２３１】
ステップＳＰ４３においてリピータ機器２０の制御部２１は、ＣＥＣ連携状態からＣＥＣ限定状態へ遷移したので、そのステータスが変化したことを表すＣＥＣメッセージを送信し、次のステップＳＰ４４へ移って処理を終了する。
【０２３２】
この場合、ＡＶシステム１００では、ＣＥＣ連携状態からＣＥＣ限定状態へ遷移したため、スイッチ回路３３０がオン状態からオフ状態へ切り換わり、リピータ機器２０とソース機器１０とのＣＥＣ接続は維持されるものの、リピータ機器２０とシンク機器３０とのＣＥＣ接続が解消され、かつ「静的な機能」であるオーディオレートコントロール機能についてのみ有効となる。
【０２３３】
［１−９−６．ＣＥＣ連携状態を前提としてＡＣオフ状態→パワーオン状態へ変化した時の制御シーケンス］
図２０に示すように、リピータ機器２０（ＡＶアンプ３００）の制御部２１（ＣＰＵ３２１）は、ルーチンＲＴ６の開始ステップから入って次のステップＳＰ５１へ移り、ＡＣコンセントを介して商用電源に接続されていないＡＣオフ状態（無電源状態）から、ＡＣコンセントに接続されてリピータ機器２０の電源釦が押下操作されたパワーオン状態（電力供給状態）へ遷移したことを認識すると、次のステップＳＰ５２へ移る。
【０２３４】
ステップＳＰ５２においてリピータ機器２０の制御部２１は、ＡＣオフ状態のときにスイッチ回路３３０をオフ状態としているが、予めフラッシュＲＯＭ３２２に記憶されている動作モードがＣＥＣ連携状態であるため、パワーオン状態へ遷移したときには、当該スイッチ回路３３０をオン状態へ切り換えることによりＣＥＣラインの接続処理を行い、次のステップＳＰ５３へ移る。
【０２３５】
ステップＳＰ５３においてリピータ機器２０の制御部２１は、ＣＥＣ限定状態からＣＥＣ連携状態へ遷移したので、そのステータスが変化したことを表すＣＥＣメッセージを送信し、次のステップＳＰ５４へ移って処理を終了する。
【０２３６】
この場合、ＡＶシステム１００では、パワーオン状態（電力供給状態）へ遷移したときＣＥＣ連携状態であるため、スイッチ回路３３０をオフ状態からオン状態へ切り換え、リピータ機器２０とソース機器１０及びシンク機器３０とが全てＣＥＣ接続された状態で、「静的な機能」であるオーディオレートコントロール機能、「動的な機能」であるワンタッチプレイ機能及びシステムスタンバイ機能の全てが動作することになる。
【０２３７】
［１−９−７．ＣＥＣ限定状態を前提としてパワーオン状態→スタンバイ状態へ変化した時の制御シーケンス］
図２１に示すように、リピータ機器２０（ＡＶアンプ３００）の制御部２１（ＣＰＵ３２１）は、ルーチンＲＴ７の開始ステップから入って次のステップＳＰ６１へ移り、ＡＣコンセントに接続されてリピータ機器２０の電源釦が押下操作されたパワーオン状態（電源供給状態）からスタンバイ状態へ遷移したことを認識すると、次のステップＳＰ６２へ移る。
【０２３８】
ステップＳＰ６２においてリピータ機器２０の制御部２１は、パワーオン状態であってもＣＥＣ限定状態であるためスイッチ回路３３０をオフ状態としているが、それがスタンバイ状態へ遷移しても当該スイッチ回路３３０をオフ状態のまま維持し、次のステップＳＰ６３へ移る。
【０２３９】
ステップＳＰ６３においてリピータ機器２０の制御部２１は、当該リピータ機器２０自身がスタンバイ状態へ入るので、ＣＥＣ通信が終了することを表すステータスのＣＥＣメッセージを送信し、次のステップＳＰ６４へ移って処理を終了する。
【０２４０】
この場合、ＡＶシステム１００では、パワーオン状態（電源供給状態）からスタンバイ状態へ遷移したときＣＥＣ限定状態が設定されているため、スイッチ回路３３０をオフ状態のまま維持し、リピータ機器２０とソース機器１０とのＣＥＣ接続は維持されるものの、リピータ機器２０とシンク機器３０とのＣＥＣ接続が解消され、かつ「静的な機能」であるオーディオレートコントロール機能についてのみ有効とされた状態となる。
【０２４１】
［１−９−８．ＣＥＣ連携状態を前提としてパワーオン状態→スタンバイ状態へ変化した時の制御シーケンス］
図２２に示すように、リピータ機器２０（ＡＶアンプ３００）の制御部２１（ＣＰＵ３２１）は、ルーチンＲＴ８の開始ステップから入って次のステップＳＰ７１へ移り、ＡＣコンセントに接続されてリピータ機器２０の電源釦が押下操作されたパワーオン状態（電源供給状態）からスタンバイ状態へ遷移したことを認識すると、次のステップＳＰ７２へ移る。
【０２４２】
ステップＳＰ７２においてリピータ機器２０の制御部２１は、パワーオン状態でかつＣＥＣ連携状態であるためスイッチ回路３３０をオン状態としているが、それがスタンバイ状態へ遷移しても当該スイッチ回路３３０をオン状態のまま維持し、次のステップＳＰ７３へ移る。
【０２４３】
ステップＳＰ７３においてリピータ機器２０の制御部２１は、当該リピータ機器２０自身がスタンバイ状態へ入るので、ＣＥＣ通信を終了することを表すステータスのＣＥＣメッセージを送信し、次のステップＳＰ７４へ移って処理を終了する。
【０２４４】
この場合、ＡＶシステム１００では、パワーオン状態（電源供給状態）からスタンバイ状態へ遷移したときＣＥＣ連携状態が設定されているため、スイッチ回路３３０をオン状態のまま維持し、リピータ機器２０とソース機器１０及びシンク機器３０とのＣＥＣ接続は維持されると共に、「静的な機能」であるオーディオレートコントロール機能、「動的な機能」であるワンタッチプレイ機能及びシステムスタンバイ機能の全てが有効とされた状態となる。
【０２４５】
［１−９−９．ＣＥＣ限定状態を前提としてパワーオン状態→ＡＣオフ状態へ変化した時の制御シーケンス］
図２３に示すように、リピータ機器２０（ＡＶアンプ３００）の制御部２１（ＣＰＵ３２１）は、ルーチンＲＴ９の開始ステップから入って次のステップＳＰ８１へ移り、ＡＣコンセントに接続されてリピータ機器２０の電源釦が押下操作されたパワーオン状態（電源供給状態）から、ＡＣコンセントを介して商用電源に接続されていないＡＣオフ状態（無電源状態）へ遷移したことを認識すると、次のステップＳＰ８２へ移る。
【０２４６】
ステップＳＰ８２においてリピータ機器２０の制御部２１は、パワーオン状態であってもＣＥＣ限定状態であるためスイッチ回路３３０をオフ状態としており、それがＡＣオフ状態へ遷移しても当該スイッチ回路３３０をオフ状態のまま維持し、次のステップＳＰ８３へ移る。
【０２４７】
ステップＳＰ８３においてリピータ機器２０の制御部２１は、当該リピータ機器２０自身がＡＣオフ状態へ入るので、ＣＥＣメッセージ送信処理を行うことができず、次のステップＳＰ８４へ移って処理を終了する。
【０２４８】
この場合、ＡＶシステム１００では、パワーオン状態（電源供給状態）からＡＣオフ状態へ遷移したとき、その前提がＣＥＣ限定状態であるため、スイッチ回路３３０をオフ状態のまま維持し、リピータ機器２０とソース機器１０とのＣＥＣ接続だけが維持され、かつ「静的な機能」であるオーディオレートコントロール機能についてのみ有効とされた状態となる。
【０２４９】
この後、ＡＶシステム１００は、ＣＥＣ限定状態を前提としてＡＣオフ状態からパワーオン状態へ変化する場合、上述した［１−９−１．ＣＥＣ限定状態を前提としてＡＣオフ状態→パワーオン状態へ変化した時の制御シーケンス］に従って処理を進めればよい。
【０２５０】
［１−９−１０．ＣＥＣ連携状態を前提としたパワーオン→ＡＣオフ状態へ変化時の制御シーケンス］
図２４に示すように、リピータ機器２０（ＡＶアンプ３００）の制御部２１（ＣＰＵ３２１）は、ルーチンＲＴ１０の開始ステップから入って次のステップＳＰ９１へ移り、ＡＣコンセントに接続されてリピータ機器２０の電源釦が押下操作されたパワーオン状態（電源供給状態）から、ＡＣコンセントを介して商用電源に接続されていないＡＣオフ状態（無電源状態）へ遷移したことを認識すると、次のステップＳＰ９２へ移る。
【０２５１】
ステップＳＰ９２においてリピータ機器２０の制御部２１は、現在ＣＥＣ連携状態であってもＡＣオフ状態になるタイミングでスイッチ回路３３０への電源供給が止まるため、スイッチ回路３３０がオン状態からオフ状態へ変化してＣＥＣラインが切断状態となり、その後、次のステップＳＰ９３へ移る。
【０２５２】
ステップＳＰ９３においてリピータ機器２０の制御部２１は、当該リピータ機器２０自身がＡＣオフ状態へ入るので、ＣＥＣメッセージ送信処理を行うことができず、次のステップＳＰ９４へ移って処理を終了する。
【０２５３】
この場合、ＡＶシステム１００では、その前提がＣＥＣ連携状態であるものの、パワーオン状態（電源供給状態）からＡＣオフ状態へ遷移したので、スイッチ回路３３０をオン状態からオフ状態へ変化させＣＥＣラインが切断状態となるので、リピータ機器２０とソース機器１０とのＣＥＣ接続だけが維持された状態となる。
【０２５４】
この後、ＡＶシステム１００は、ＣＥＣ連携状態を前提としてＡＣオフ状態からパワーオン状態へ変化する場合、上述した［１−９−６．ＣＥＣ連携状態を前提としてＡＣオフ状態→パワーオン状態へ変化した時の制御シーケンス］に従って処理を進めればよい。
【０２５５】
［２．動作及び効果］
従来、リピータ機器２０に対してソース機器１０及びシンク機器３０がＣＥＣ接続されている状態では、ソース機器１０から再生したというＣＥＣメッセージが一斉送信された場合、リピータ機器２０及びシンク機器３０が同時に当該ＣＥＣメッセージを受信して解釈することになる。
【０２５６】
このときリピータ機器２０は、そのＣＥＣメッセージを解釈すると、ソース機器１０が再生した場合に最適な入力へ自動的に切り換えるが、このような動的なリアクション動作を仮に抑制したとしても、シンク機器３０もソース機器１０からのＣＥＣメッセージを同時に受信しているため、その入力をソース機器１０に合わせて自動的に切り換えてしまう。
【０２５７】
そこで本発明のリピータ機器２０（図１０）では、ＨＤＭＩトランスミッタ２３とＨＤＭＩ端子３０４との間のＣＥＣライン上にリレーでなるスイッチ回路３３０を設け、制御部２１により当該スイッチ回路３３０をオンオフ制御できるようにした。
【０２５８】
これによりリピータ機器２０は、スイッチ回路３３０をオフ状態にすれば、リピータ機器２０とシンク機器３０とのＣＥＣラインは切断されるが、当該リピータ機器２０とソース機器１０との間では従来通りＣＥＣメッセージの通信制御が可能となり、かつシンク機器３０による不要なリアクション動作を停止させることができるようになった。
【０２５９】
このときスイッチ回路３３０としてリレーを利用しており、スイッチ回路３３０、またはリピータ機器２０自体に電源供給が行われていない場合、スイッチ回路３３０として用いられるリレーの種類（無電源状態のとき接続方向となるタイプのリレーと、無電源状態のとき切断方向となるタイプのリレーとの２種類が存在する）により、無電源状態における接続状態、または切断状態が決定される。
【０２６０】
リピータ機器２０では、電源供給が行われていないとき、この２つの選択のうちリレーを接続方向にしてしまうと、ソース機器１０からのＣＥＣメッセージに対してシンク機器３０が反応して動作してしまうことが考えられるため、電源供給が行われていないときでも必ずリレーでＣＥＣラインが切断される方を選択する。
【０２６１】
そうすると、逆にリピータ機器２０とシンク機器３０とのＣＥＣ連携機能を有効にしたい場合でも、スイッチ回路３３０に電源供給が行われていないとき、ソース機器１０からのＣＥＣメッセージがシンク機器３０へ送信されないために問題となってしまう。
【０２６２】
従ってリピータ機器２０は、当該リピータ機器２０とシンク機器３０とのＣＥＣ連携機能を有効にする設定に変更した場合、リピータ機器２０がスタンバイ状態であれば、制御部２１及びリレーでなるスイッチ回路３３０に対しては極所的に電源を供給し、当該スイッチ回路３３０のオンオフ制御を可能とするようにした。
【０２６３】
これによりリピータ機器２０は、スタンバイ状態にさえあれば、スイッチ回路３３０をオンオフ制御することができるので、ＣＥＣ連携状態の動作モードが前提とされていれば当該スイッチ回路３３０をオン状態に設定することができる。
【０２６４】
かくしてリピータ機器２０は、ユーザがメニュー等によりＣＥＣ限定状態及びＣＥＣ連携状態の何れかを選択しておくだけで、互いに連携動作可能な状態で接続されたソース機器１０やシンク機器３０との間における連携機能をユーザにとって不都合が無いように動作させるべく制御することができる。
【０２６５】
実際上、リピータ機器２０では、工場出荷時や、ユーザにより予めＣＥＣ限定状態が選択されている場合、ＡＣオフ状態ではもちろんのこと、スタンバイ状態やパワーオン状態のときであっても、制御部２１がスイッチ回路３３０をオフ状態のまま維持する。
【０２６６】
そしてリピータ機器２０は、スイッチ回路３３０をオフ状態としたままなので、当該リピータ機器２０とソース機器１０とのＣＥＣラインが接続状態とされる一方、リピータ機器２０とシンク機器３０とのＣＥＣラインが切断状態とされることになり、かつ「静的な機能」であるオーディオレートコントロール機能だけが有効とされて動作する。
【０２６７】
これによりリピータ機器２０は、ソース機器１０が再生したとしても、リピータ機器２０とシンク機器３０とのＣＥＣラインが切断されているため、そのＣＥＣメッセージが当該シンク機器３０へ到達することがなく、当該シンク機器３０に対してリアクション動作を行わせることを確実に防止することができる。
【０２６８】
その一方、リピータ機器２０は、ソース機器１０との間で「静的な機能」であるオーディオレートコントロール機能については動作させることにより再生音声の音質を高め、かつ、リピータ機器２０であるＡＶアンプ３００に接続されたスピーカ群３５０から高音質の音声出力を行うことができる。
【０２６９】
またリピータ機器２０では、ユーザにより予めＣＥＣ連携状態が選択されている場合、ＡＣオフ状態のときスイッチ回路３３０はオフ状態となっているが、スタンバイ状態やパワーオン状態へ遷移したときは、制御部２１がスイッチ回路３３０をオフ状態からオン状態へ切り換える。
【０２７０】
これにより、リピータ機器２０は、ＣＥＣ連携状態が選択されている場合、リピータ機器２０とソース機器１０及びシンク機器３０とのＣＥＣラインが全て接続状態とされるため、「静的な機能」であるオーディオレートコントロール機能だけでなく、「動的な機能」であるワンタッチプレイ機能及びシステムスタンバイ機能についても有効とされて動作させることができる。
【０２７１】
以上の構成によれば、ＣＥＣ限定状態の動作モードが選択された場合、スイッチ回路３３０を介してシンク機器３０とのＣＥＣラインを切断すると共に、「静的な機能」についてのみ動作させるように制限することができるので、「動的な機能」については動作させずに済み、かくして互いに連携動作可能な状態で接続された機器間における連携機能をユーザにとって不都合が無いように動作させるべく制御することができる。
【０２７２】
＜２．他の実施の形態＞
なお上述した実施の形態においては、ＣＥＣ限定状態の動作モードが選択されているとき、「静的な機能」だけを有効とするようにした場合について述べた。しかしながら、本発明はこれに限らず、ＣＥＣ限定状態の動作モードが選択されているときであっても、ユーザが許すならば設定により「動的な機能」の一部だけを有効とするようにしてもよい。
【０２７３】
また上述の実施の形態においては、ソース機器１０であるＢＤレコーダ４００、ＤＶＤプレーヤ５００、ＤＶＤレコーダ６００、リピータ機器２０であるＡＶアンプ３００及びシンク機器３０であるテレビ受信機２００がそれぞれ独立して存在している場合について述べた。しかしながら、本発明はこれに限らず、例えばＡＶアンプ３００がＢＤレコーダ４００に内蔵されていたり、或はＡＶアンプ３００がテレビ受信機２００に内蔵されていても良い。
【０２７４】
さらに上述の実施の形態においては、リピータ機器２０としてＡＶアンプ３００を用いるようにした場合について述べた。しかしながら、本発明はこれに限らず、リピータ機能を有するデバイスであれば、ＡＶアンプ３００でなく、パーソナルコンピュータ等のその他種々の電子機器であっても良い。
【０２７５】
さらに上述の実施の形態においては、ソース機器１０としてＢＤレコーダ４００、ＤＶＤプレーヤ５００、ＤＶＤレコーダ６００を対象とするようにした場合について述べた。しかしながら、本発明はこれに限らず、ＨＤＭＩ接続可能な電子機器であれば、デジタルビデオカメラ、デジタルカメラ、パーソナルコンピュータ、携帯電話機及びゲーム機器等であっても良い。
【０２７６】
さらに上述の実施の形態においては、シンク機器３０としてテレビ受信機２００を対象とするようにした場合について述べた。しかしながら、本発明はこれに限らず、ＨＤＭＩ接続可能な電子機器であれば、パーソナルコンピュータ、携帯電話機及びゲーム機器等であっても良い。
【産業上の利用可能性】
【０２７７】
本発明のリピータ機器は、ＨＤＭＩ接続可能な電子機器であれば、ＡＶアンプ以外にもパーソナルコンピュータ等に適用することができる。
【符号の説明】
【０２７８】
１０……ソース機器、１１、２１、３１……制御部、１２、２３……ＨＤＭＩトランスミッタ、１３、２４、３３……ＣＥＣインタフェース、２０……リピータ機器、２２、３２……ＨＤＭＩレシーバ、２５……電源部、２６……パワーリレー、３０……シンク機器、３４、２３４……リモコン受信部、３５、２３５……リモコン送信部、８１……ＨＤＭＩトランスミッタ、８２……ＨＤＭＩレシーバ、１００……ＡＶシステム、２００……テレビ受信機、３００……ＡＶアンプ、３５０……スピーカ群、４００……ＢＤレコーダ、５００……ＤＶＤプレーヤ、６００……ＤＶＤレコーダ、２０１、２０２、３０１〜３０４、４０１……ＨＤＭＩ端子、２０３……光出力端子、２０４……ＨＤＭＩスイッチャ、２０５……ＨＤＭＩ受信部、２１０、３１２、４１０……アンテナ端子、２１１、４１１……デジタルチューナ、２１２、４１２……デマルチプレクサ、２１３、４１５……ＭＰＥＧデコーダ、２１４……映像・グラフィックス処理回路、２１５……パネル駆動回路、２１６……表示パネル、２１７……音声処理回路、２１８……音声増幅回路、２１９……スピーカ、２３０、３２０、４２０……内部バス、２３１、３２１、４２１……ＣＰＵ、２３２、３２２、４２２……フラッシュＲＯＭ、２３３、３２３、４２３……ＤＲＡＭ、３０５……光入力端子、３１１……アンテナ音声入力端子、３１３……ＦＭチューナ、３１４、３１６……セレクタ、３１５……Ａ／Ｄ変換器、３１７……ＤＳＰ、３１８……音声増幅回路、３２４、４２５……ユーザ操作部、３２５、４２６……表示部、３３０……スイッチ回路、４１７……映像出力端子、４１８……音声出力端子、４１６……グラフィック生成回路、４０２……ＨＤＭＩ送信部、４１３……記録インタフェース、４１４……ＢＤドライブ。
【図１】
2012029070.tif 000003
【図２】
2012029070.tif 000004
【図３】
2012029070.tif 000005
【図４】
2012029070.tif 000006
【図５】
2012029070.tif 000007
【図６】
2012029070.tif 000008
【図７】
2012029070.tif 000009
【図８】
2012029070.tif 000010
【図９】
2012029070.tif 000011
【図１０】
2012029070.tif 000012
【図１１】
2012029070.tif 000013
【図１２】
2012029070.tif 000014
【図１３】
2012029070.tif 000015
【図１４】
2012029070.tif 000016
【図１５】
2012029070.tif 000017
【図１６】
2012029070.tif 000018
【図１７】
2012029070.tif 000019
【図１８】
2012029070.tif 000020
【図１９】
2012029070.tif 000021
【図２０】
2012029070.tif 000022
【図２１】
2012029070.tif 000023
【図２２】
2012029070.tif 000024
【図２３】
2012029070.tif 000025
【図２４】
2012029070.tif 000026